(57)【要約】【課題】遊技盤の遊技領域を好適に拡大することが可能な遊技機を提供すること。【解決手段】遊技球が流下する遊技領域を前面に有する遊技盤５７と、遊技盤５７の前面における機能を担う各種の盤面要素とを備える構成において、遊技盤５７が前方から遊技機本体（内枠５８）に取り付けられ、盤面要素の一部（側縁レール部材の右側レール部６７Ｍ）が、少なくとも一部（右側面部）を、遊技盤５７の周面部（右側端面部）に位置させるようにして配設された構成とする。望ましくは、盤面要素の一部（右側レール部６７Ｍ）に、遊技盤５７の周面（右側端面）に沿って延びる側片部（支持片６７Ｄ）を設ける。【選択図】      図１４
2020203179.tif 000002
【特許請求の範囲】
【請求項１】
遊技球が流下する遊技領域を前面に有する遊技盤と、該遊技盤の前面における機能を担う盤面要素とを備える遊技機であって、
前記遊技盤が前方から遊技機本体に取り付けられ、
前記盤面要素の一部が、少なくとも一部を前記遊技盤の周面部に位置させるようにして配設されていることを特徴とする遊技機。
【発明の詳細な説明】
【技術分野】
【０００１】
本発明は、パチンコ機に代表される遊技機に関するものである。
【背景技術】
【０００２】
パチンコ機などの遊技機は、遊技球が流下する遊技領域が前面に形成された遊技盤を備え、この遊技盤の遊技領域に遊技球を導いて遊技を行うことができるようになっているものが一般的である。遊技盤の前面には、例えば、発射装置から発射された遊技球を遊技領域に案内するとともに、遊技領域を画する部材でもあるガイドレールや、液晶表示装置を備える可変表示装置ユニット、一般入賞装置、可変入賞装置、始動入賞装置等の各種入賞装置、遊技内容に関連するキャラクタ形状や絵柄等の種々の形態に構成された各種装飾部材といった、各種の要素が配置されている。
【先行技術文献】
【特許文献】
【０００３】
【特許文献１】特開２０１０−２４０１０１号公報
【発明の概要】
【発明が解決しようとする課題】
【０００４】
遊技機においては、遊技の多様化等にともない、遊技盤の遊技領域が拡大されてきており、今後も一層の拡大が要望されている。しかしながら、遊技盤の前面のスペースが限られていることから、遊技領域の拡大には自ずと限界があった。
【０００５】
本発明は、かかる問題点に鑑みて案出されたものであり、遊技盤の遊技領域を好適に拡大することが可能な遊技機を提供することを目的とする。
【課題を解決するための手段】
【０００６】
本発明にかかる遊技機は、上記目的を達成するために、
遊技球が流下する遊技領域を前面に有する遊技盤と、該遊技盤の前面における機能を担う盤面要素とを備える遊技機であって、
前記遊技盤が前方から遊技機本体に取り付けられ、
前記盤面要素の一部が、少なくとも一部を前記遊技盤の周面部に位置させるようにして配設されていることを特徴とする。
【発明の効果】
【０００７】
本発明の構成によれば、遊技盤が前方から取り付けられるので、遊技機本体に対する固定部を前面に確保する必要がなく、したがって遊技盤の前面が全面的に利用可能となってそのぶん遊技領域を大きく確保することができる。
【０００８】
さらに、盤面要素の一部が遊技盤の周面部に配設されるので、該盤面要素を遊技盤のより外側寄りの位置に配設することができ、したがってそのぶん遊技領域を大きく確保することができる。
【０００９】
即ち、本発明の構成によれば、簡単な構成により遊技盤の遊技領域を好適に拡大することができる。
【図面の簡単な説明】
【００１０】
【図１】パチンコ機の一例を示す正面図。
【図２】図１のパチンコ機の正面側の斜視図。
【図３】図１のパチンコ機の前面枠の斜視図。
【図４】遊技盤の一例を示す正面図。
【図５】主表示ユニットの斜視図。
【図６】図１のパチンコ機の背面の構成を示す分解斜視図。
【図７】図４の遊技盤の背面側の斜視図。
【図８】図４の遊技盤の背面図。
【図９】パチンコ機の電気的構成の一例を示すブロック図。
【図１０】第１実施形態に係る盤面要素（側端レール）の取付構造を示す図４のＡ−Ａ線部矢視断面図。
【図１１】第２実施形態に係る遊技盤の取付構造を示す分解斜視図。
【図１２】第２実施形態に係る遊技盤の裏面側の分解斜視図。
【図１３】図１２のＸ１部拡大図。
【図１４】図１３のＢ−Ｂ線部矢視断面図。
【図１５】第２実施形態に係る遊技盤の背面図。
【図１６】他の実施形態に係る盤面要素（側端レール部）の取付構造を示す断面図。
【図１７】他の実施形態に係る盤面要素（右側レール部）の取付構造を示す断面図。
【図１８】他の実施形態に係る盤面要素（レール壁部）の配設構造を示す断面図。
【図１９】他の実施形態に係る盤面要素（レール壁部）の配設構造を示す正面図。
【図２０】他の実施形態に係る盤面要素（段状部材）の配設構造を示す分解斜視図。
【発明を実施するための形態】
【００１１】
以下、本発明の最良の形態を、図面に基づいて詳細に説明する。ここでは、遊技機としてパチンコ遊技機（以下、単に「パチンコ機」という）を挙げる。
【００１２】
（パチンコ機正面側の構成）
図１はパチンコ機１０の正面図、図２はパチンコ機１０の斜視図、図３はパチンコ機１０の前面枠の斜視図である。図１および図２に示すように、パチンコ機１０は、当該パチンコ機１０の外殻を形成する外枠１１と、この外枠１１の一側部に開閉可能に支持された内枠１２とを備えている。以下に、外枠１１と内枠１２との構成を個別に説明する。
【００１３】
上記外枠１１は、木製の板材により全体として矩形状に構成され、小ネジ等の離脱可能な締結具により各板材が組み付けられている。なお、外枠１１は樹脂やアルミニウム等の軽金属により構成されていてもよい。このように構成することにより、パチンコ機の軽量化を図ることができるからである。
【００１４】
一方、上記内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。このような構成とするのは、内枠１２の開閉軸線がハンドル設置箇所側（図１のパチンコ機１０の右側）で上下方向にあるとすると、内枠１２を開放する際に遊技球発射ハンドル１８の頭部等が隣なりのパチンコ機やカードユニット（球貸しユニット）に干渉することになり、内枠１２を十分に開放できないからである。また、内枠１２は合成樹脂、具体的にはＡＢＳ(アクリロニトリル−ブタジエン−スチレン）樹脂から成る。こうすることで、粘性が高く衝撃に強くでき、低コストで製造できるという利点が発揮される。
【００１５】
また、内枠１２は、その最下部に下皿ユニット１３を有し、内枠１２の左側の上下方向の開閉軸線を軸心にして開閉自在に取り付けられた前面枠セット１４と、樹脂ベース２５（図６参照）と、この樹脂ベース２５の後側に取り付けられる後述の遊技盤３０とを備えている。これらの各構成を以下に詳細に説明する。
【００１６】
上記下皿ユニット１３は、前面枠セット１４の一部として前面枠ベース部材に固定されている。この下皿ユニット１３の前面側には、下皿１５と球抜きレバー１７と遊技球発射ハンドル１８と演出ボタン７９が設けられている。球受皿としての下皿１５は、下皿ユニット１３のほぼ中央部に設けられており、後述の上皿が満タンになった場合等に排出口１６より排出される遊技球を停留する役割がある。上記球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。上記遊技球発射ハンドル１８は、下皿１５よりも右方で手前側に突出するように配設されている。遊技者による遊技球発射ハンドル１８の操作に応じて、発射ソレノイドを備えた遊技球発射装置によって遊技球が後述する遊技盤３０の方へ打ち込まれるようになっている。前面枠セット１４の上部には、スピーカからの音を出力するための音出力口２４が設けられている。
【００１７】
一方、前面枠セット１４の下部（上述の下皿１５の上方位置）には、遊技球の受皿としての上皿１９が前面枠セット１４と一体的に設けられている。この上皿１９は、遊技球を一旦貯留し、一列に整列させながら遊技球発射装置３８の方へ導出するための球受皿である。また、上皿１９の左下方には、装飾図柄表示装置４２の背景を変える等の操作を遊技者が行なうための演出ボタン７９が設けられている。
【００１８】
加えて、前面枠セット１４にはその周囲（例えばコーナー部分）に各種ランプ等の発光手段が設けられている。これら発光手段は、大当たり遊技状態時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、大当たり遊技状態時に点灯や点滅を行うことにより、大当たり遊技状態中であることを報知する構成である。
【００１９】
また、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。度数表示部はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００２０】
次に、図４を用いて遊技盤３０の構成を説明する。図４は遊技盤３０の構成を示す正面図である。遊技盤３０は、一般入賞口を備える一般入賞装置３１、可変入賞装置３２、中央始動口３３ａと右始動口３３ｂ（作動チャッカ３３ｂで構成）と一対の開閉羽根６０とを備える始動入賞装置３３、通過口を備える作動入賞装置３４（スルーゲートで構成）、主表示ユニット３７１、装飾図柄表示装置４２を備える可変表示装置ユニット３５等が設けられている。これらの一般入賞装置３１、可変入賞装置３２、始動入賞装置３３、作動入賞装置３４、可変表示装置ユニット３５等は、遊技盤３０における、ルータ加工によって形成された各貫通穴にそれぞれに配設され、遊技盤３０前面側から木ネジ等により取り付けられている。また、右始動口３３ｂの入口には、一対の開閉羽根６０が設けられており、遊技球を案内する開放位置と、右始動口３３ｂ内に遊技球が入りにくくなる（入らない）閉塞位置を採りうる。開閉羽根６０は、遊技盤３０の裏面側に配設されたソレノイドＳＬ１によって駆動される。また、中央始動口３３ａの下方には、大入賞口（収容部の入口）６１が配置されている。大入賞口６１については、後に言及する。大入賞口６１内には、入球検出スイッチＳＷ１が設けられている。
【００２１】
前述の一般入賞装置３１、可変入賞装置３２および始動入賞装置３３に遊技球が入球し、当該入球が後述する検出スイッチ（入賞口スイッチ、カウントスイッチ、作動口スイッチ等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、各種部材（役物）が配設されている。
【００２２】
主表示ユニット３７１は、後述する主制御装置２６１が直接的に制御する表示装置ユニットであり、図５に示すように、右上の隅部が直角でその対辺が左上から右下へ延びる斜辺となっている、やや上下に長い概略直角三角形の各隅部（角部）が丸く角落ちするとともに、斜辺が遊技領域の右上部に沿って弧状に内側へ湾曲する正面形状を有し、前後に遊技球の直径よりやや大きい程度の厚みを有する立体状の外形を有する部品となっている。主表示ユニット３７１における右上には、ネジ挿通孔を有するフランジ３７１Ｈが背面に沿って形成され、右下の隅部には、前面側から後面壁まで凹入し該後面壁にネジ挿通孔（図示せず）を有する正面視概略Ｕ字状のネジ挿通部３７１Ｎが形成され、図４に示すように、フランジ３７１Ｈおよびネジ挿通部３７１Ｎにネジが螺入されて主表示ユニット３７１が遊技盤３０の前面における右上部に固定されている。主表示ユニット３７１における左上の上面部は左下方へやや下傾するように形成され、その中央部は、図４に示すように、遊技球の最大飛翔部分に対応する外レール５２の先端部に近接し、この部位の上に、図５に示すようにゴム板よりなる返しゴム３７１Ｒが取り付けられている。この返しゴム３７１Ｒにより、所定以上の勢いで発射された遊技球が当たって跳ね返されるようになっている。主表示ユニット３７１の前面部には、左上端近傍からネジ挿通部３７１Ｎに隣接するまで斜辺に沿って弧状に延びる正面形状を有して内奥側へ段状に凹入する表示部３７１Ｍが形成されている。
【００２３】
上記表示部３７１Ｍには、７個の表示装置３７１Ａ〜３７１Ｇが上から弧状に並ぶようにして順に配置されている。表示装置３７１Ｂ（第１特別図柄表示装置）は、中央始動口３３ａへの遊技球の入賞を契機に変動表示される第１特別図柄を表示するものであり、表示装置３７１Ｄ（第２特別図柄表示装置）は、右始動口３３ｂへの遊技球の入賞を契機に変動表示される第２特別図柄を表示するものである。これらの表示装置３７１Ｂ、３７１Ｄはそれぞれ、「８」の字状に配列された７個と、隅部にドット状に配列された１個とによる合計８個のＬＥＤのセグメントから構成されている。なお、各特別図柄は、上記表示装置３７１Ｂ、３７１Ｄにおいて同時に変動表示されることがなく入賞順に従って順次行われるため、装飾図柄表示装置４２においては共通の装飾図柄によって特別図柄に対応する表示が行われるようになっている。表示装置３７１Ａ（第１特別図柄保留表示装置）は、第１特別図柄の保留数を表示するものであり、表示装置３７１Ｃ（第１特別図柄保留表示装置）は、第２特別図柄の保留数を表示するものである。これらの表示装置３７１Ａ，３７１Ｃはそれぞれ、左右２個のＬＥＤで構成され、左側のＬＥＤのみあるいは両方を点灯又は点滅させることにより最大で４個までの保留数を表示するようになっている。なお、センターフレーム４３の下部には、２色の発光が可能な合計４個のランプよりなる保留ランプ８００ａが装飾図柄表示装置４２の下辺に沿って配列されており（図４参照）、この保留ランプ８００ａによって表示される装飾図柄の保留数は、遊技状態（後述するサポート状態か否か）に応じて、上記表示装置３７１Ａ、３７１Ｃのうち何れかが表示する保留数と対応するようになっている。表示装置３７１Ｅ（普通図柄表示装置）は、作動入賞装置３４における通過口への遊技球の入賞を契機に変動表示される普通図柄を表示するものであり、左右２個のＬＥＤで構成され、片側のＬＥＤのみを点灯させることで外れを表示し、両方を点灯させることで当りを表示するようになっている。表示装置３７１Ｆ（普通図柄保留表示装置）は、普通図柄の保留数を表示するものであり、左右２個のＬＥＤで構成され、左側のＬＥＤのみあるいは両方を点灯又は点滅させることにより最大で４個までの保留数を表示するようになっている。表示装置３７１Ｇは、遊技状態の種別を表示するものであり、合計８個のＬＥＤで構成されている。これらのＬＥＤがそれぞれ消灯、点灯、点滅の何れかに変化し、全消灯を除く６５６０通りの組み合わせによって、１．通常遊技状態（大当たり乱数カウンタＣ１の抽選が低確率であり、サポート状態ではない）、２．時短状態（大当たり乱数カウンタＣ１の抽選が低確率であり、サポート状態）、３．潜伏高確率状態（大当たり乱数カウンタＣ１の抽選が高確率であり、サポート状態ではない）、４．高確率状態（大当たり乱数カウンタＣ１の抽選が高確率であり、サポート状態）、及び５．大当たり状態の何れかを表示するようになっており、大当たり状態を表示するのに際してはその大当たりの最大ラウンド数によって異なる表示が行われる。
【００２４】
上記装飾図柄表示装置４２は液晶表示装置として構成されており、後述する表示制御装置により表示内容が制御される。装飾図柄表示装置４２には、例えば上、中、及び下の３箇所に識別情報としての図柄（装飾図柄）が表示される。これら図柄がスクロールされて装飾図柄表示装置４２に可変表示されるようになっている。なお本形態では、装飾図柄表示装置４２（液晶表示装置）は例えば１０インチ或いは１２インチサイズの大型の液晶ディスプレイを備えている。遊技球が始動入賞装置３３を通過した回数は最大４回まで保留され、その保留回数が保留ランプ８００ａにて点灯表示されるようになっているが、この保留ランプ８００ａが表示する保留回数は、装飾図柄表示装置４２の一部（具体的には右下部）にも表示される。この保留表示は、保留数に対応する数のキャラクタ画像が並列的に表示されるものである。
【００２５】
上記可変入賞装置３２は、通常は遊技球が入賞できない又は入賞し難い閉状態になっており、大当たりの際に遊技球が入賞しやすい開状態と通常の閉状態とに繰り返し作動されるようになっているが、その具体的な構成については後述する。簡略に触れれば、特別図柄表示装置が特定の表示態様となった場合（装飾図柄表示装置４２の停止後の確定図柄が予め設定した特定の図柄の組み合せとなった場合）に特別遊技状態が発生する。そして、可変入賞装置３２が受球状態となり、遊技球の入賞を許す。具体的には、所定時間（例えば３０秒）の経過又は所定個数（例えば１０個）の入賞を１ラウンドとして、可変入賞装置３２の受球状態が所定回数繰り返し開放される。
【００２６】
また、図４に示すように、遊技盤３０には、遊技球発射装置から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす金属板にて構成されており、内外二重に一体形成された内レール５１と外レール５２とを有する。内レール５１および外レール５２の後側端縁（遊技盤３０に対向する端縁）には、所定間隔をおいて複数個所に鋲５６が設けられており、内レール５１および外レール５２は該鋲５６を打ちつけるようにして遊技盤３０に取り付けられている。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００２７】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。
【００２８】
尚、遊技領域は、レールユニット５０の内周部（内外レール）と主表示ユニット３７１の斜辺とにより略円形状に区画形成されており、特に本形態では、遊技盤３０の盤面上に区画される遊技領城が従来よりもはるかに大きく構成されている。
【００２９】
さらに、遊技盤３０の右側縁部には、側端レール５０Ｓが配設されている。側端レール５０Ｓは、内レール５１および外レール５２とは別体として構成され、また内レール５１および外レール５２からは間隔を置いて独立に配置されているが、外レール５２とおおよそ同一の円周上に位置して遊技領域の右端部を区画しており、即ちレールユニット５０の一部（右端部）を構成している。この側端レール５０Ｓの構成および取付構造については後述する。
【００３０】
（パチンコ機の背面構成）
次に、パチンコ機１０の背面の構成を説明する。図６はパチンコ機１０の背面の構成を示す分解斜視図である。
【００３１】
先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の裏カバー（保護カバー）等が取り付けられている。本形態では、各種制御基板を３つの取付台に分けて搭載して３つの制御基板ユニットを構成し、それら制御基板ユニットを個別に内枠１２または遊技盤３０の裏面に装着するようにしている。この場合、主制御基板、電源監視基板、これら基板を収容する基板ボックスおよび該基板ボックスを封印する封印ユニットから構成される主制御装置２６１を一つにユニット化し、表示制御基板、該表示制御基板を収容する基板ボックスおよび装飾図柄表示装置４２から構成される表示制御装置４５とサブ制御基板および該サブ制御基板を収容する基板ボックスから構成されるサブ制御装置２６２とを後述する外包部材８２に搭載してユニット化し、さらに払出制御基板、該払出制御基板を収容する基板ボックス（払出制御基板ケース）および該基板ボックスを封印する封印ユニットから構成される払出制御装置３１１と電源基板、発射制御基板およびこれら基板を収容する基板ボックス（電源・発射制御基板ケース２０３Ａ）から構成される電源・発射制御装置とを１つの取付台に搭載してユニット化している。ここでは便宜上、各ユニットを上記の順に「第１制御基板ユニット２０１」、「第２制御基板ユニット２０２」および「第３制御基板ユニット２０３」と称することとする。
【００３２】
また、払出機構および裏カバー（保護カバー）も上記第３制御基板ユニット２０３に一体化されており、一般に樹脂部分を裏パックと称することもあるため、ここでは第３制御基板ユニット２０３を「裏パックユニット２０３」とも称する。各ユニット２０１〜２０３の詳細な構成については後述する。
【００３３】
第１制御基板ユニット２０１は、後述するように、取り外す場合には工具で封止状態を解除する必要があるが取付はネジ等の締結具も工具も何ら要することなく行い得るよう構成されており、第２制御基板ユニット２０２および裏パックユニット２０３は、ユニット単位で何ら工具等を用いずに着脱できるよう構成されている。更に、これに加え、各ユニット２０１〜２０３は、一部に支軸部を設けて内枠１２または遊技盤３０の裏面に対して開閉できる構成となっている。これは、各ユニット２０１〜２０３やその他構成が前後に重ねて配置されても、隠れた構成等を容易に確認することを可能とするための工夫でもある。
【００３４】
上述した第１制御基板ユニット２０１は、その遊技の進行を統括する主制御基板及び電源の監視を司る電源監視基板を有する。上記主制御基板と電源監視基板とは透明樹脂材料等よりなる基板ボックスに収容されて構成されている。この基板ボックスは、略直方体形状のボックスベースと該ボックスベースの開口部を覆うボックスカバーとを備えており、これらボックスベースとボックスカバーとは封印ユニットによって開封不能に連結されることにより、基板ボックスが封印される。
【００３５】
尚、封印ユニットはボックスベースとボックスカバーとを開封不能に連結する構成であれば任意の構成が適用でき、また、封印ユニットによる封印処理は、その封印後の不正な開封を防止し、また万一不正開封が行われてもそのような事態を早期にかつ容易に発見可能とするものである。
【００３６】
第２制御基板ユニット２０２は、主制御基板からの指示に従い前記装飾図柄表示装置４２の表示制御を司る表示制御装置４５と主制御基板からの指示に従い音声ランプ制御を司るサブ制御基板とを有する。上記表示制御装置４５は、装飾図柄表示装置４２および表示制御基板がユニットとして構成され、透明樹脂材料等よりなる基板ボックスに収容されて後述する外包部材８２の背面側に取り付けられている。上記サブ制御基板は透明樹脂材料等よりなる基板ボックスに収容され、上記表示制御装置４５の背面側に取り付けられている。
【００３７】
次に、前記第３制御基板ユニット（裏パックユニット）２０３は、払出制御基板、電源基板、発射制御基板及びカードユニット接続基板を有している。上記払出制御基板により賞品球や貸出球の払出が制御され、上記電源基板および発射制御基板により各種制御装置等で要する所定の電源電圧が生成され出力されるとともに遊技者による遊技球発射ハンドル１８の操作に従い発射ソレノイドの制御が行われる。また、上記カードユニット接続基板は、パチンコ機前面の貸球操作部１２０（図１参照）および図示しないカードユニットに電気的に接続され、遊技者による球貸し操作の指令を取り込んでそれを払出制御基板に出力するものである。なお、カードユニットを介さずに球貸し装置等から上皿に遊技球が直接貸し出される現金機では、カードユニット接続基板は不要である。
【００３８】
上記払出制御基板は、透明樹脂材料等よりなる払出制御基板ケース（図示せず）内に収納されており、上記電源基板および発射制御基板は、透明樹脂材料等よりなる電源・発射制御基板ケース２０３Ａ内に収納されている。また、上記カードユニット接続基板は透明樹脂材料等よりなるカードユニット接続基板ケース（図示せず）内に収納されている。特に、払出制御基板では、前述した主制御基板と同様、基板ケース（被包手段）を構成するボックスベースとボックスカバーとが封印ユニット（封印手段）によって開封不能に連結されることにより、基板ボックスが封印される。
【００３９】
上記払出制御基板は状態復帰スイッチと電気的に接続されており、例えば、払出モータ部の球詰まり等、払出エラーの発生時において状態復帰スイッチが押下されると、払出モータがゆっくりと正回転され、球詰まりの解消（正常状態への復帰）が図られるようになっている。
【００４０】
裏パックユニット２０３は、樹脂成形された裏パック３５１と遊技球の払出機構部３５２とを一体化したものである。
【００４１】
裏パック３５１は例えばＡＢＳ樹脂により成型されており、略平坦状のベース部３５３と、パチンコ機後方に突出し横長の略直方体形状をなす裏カバー部（保護カバー部）３５４とを有する。裏カバー部３５４は左右側面および上面が閉鎖されかつ下面のみが開放された形状をなし、少なくとも電動役物表示制御装置４５を囲むのに十分な大きさを有する（但し本形態では、前述のサブ制御装置２６２も合わせて囲む構成となっている）。裏カバー部３５４の背面には多数の通気孔が設けられている。この通気孔は各々が長孔状をなし、それぞれの通気孔が比較的近い位置で隣り合うよう設けられている。従って、隣り合う通気孔間にある樹脂部分を切断することにより、裏パック３５１の背面を容易に開口させることができる。つまり、通気孔間の樹脂部分を切断してその内部の表示制御装置等を露出させることで、所定の検定等を容易に実施することができる。
【００４２】
また、ベース部３５３には、裏カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は図示しない払出通路等を通じて前記上皿１９に供給される。
【００４３】
タンクレール３５６と、当該タンクレール３５６に振動を付加するためのバイブレータ３５９とが一体化するようにユニット化されており、仮にタンクレール３５６付近で球詰まりが生じた際、バイブレータ３５９が駆動されることで球詰まりが解消されるようになっている。
【００４４】
上記払出機構部３５２には、前記払出制御基板から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチの切替操作により電源ＯＮまたは電源ＯＦＦとされるようになっている。
【００４５】
なお、内枠１２の右上側には、内枠１２が外枠１１に対して開かれたことを検出する内枠開検出スイッチ（図示せず）が設けられており、内枠１２が開かれると、内枠開検出スイッチからホール内（パチンコ店内）用コンピュータヘ出力されるようになっている。また、上記内枠開検出スイッチの左方には、前面枠開検出スイッチ（図示せず）が設けられており、前面枠セット１４が開かれると、前面枠開検出スイッチからホール内（パチンコ店内）用コンピュータヘ出力されるようになっている。
【００４６】
（パチンコ機の電気的構成及び各種制御処理）
次に、図９を参照して、本パチンコ機１０の電気的構成について説明する。パチンコ機１０は、電源装置３１３と、電源監視装置５４０と、主制御装置２６１と、サブ制御装置２６２と、払出制御装置３１１と、表示制御装置４５等を備えている。以下に、これらの装置を個別に詳細に説明する。尚、電源監視装置５４０と主制御装置２６１とは、上記したように封印ユニットで封印されている。
【００４７】
次いで、主制御装置２６１の構成について説明する。主制御装置２６１には、演算装置である１チップマイコンとしてのＭＰＵ５０１が搭載されている。ＭＰＵ５０１には、該ＭＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、そのほか、割込回路やタイマ回路、データ送受信回路などの各種回路が内蔵されている。
【００４８】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのエリアが備えられている。
【００４９】
なお、ＭＰＵ５０１のＮＭＩ端子（ノンマスカブル割込端子）には、停電等の発生による電源遮断時に、停電監視回路５４２からの停電信号ＳＧ１が入力されるように構成されており、その停電信号ＳＧ１がＭＰＵ５０１へ入力されると、停電時処理としてのＮＭＩ割込処理が即座に実行される。
【００５０】
主制御装置２６１のＭＰＵ５０１には、アドレスバス及びデータバスで構成されるバスライン５０４を介して入出力ポート５０５が接続されている。入出力ポート５０５には、電源監視装置５４０内のＲＡＭ消去スイッチ回路５４３、払出制御装置３１１、発射制御装置３１２、サブ制御装置２６２、主表示ユニット３７１（第１特別図柄保留表示装置３７１Ａ、第１特別図柄表示装置３７１Ｂ、第２特別図柄保留表示装置３７１Ｃ、第２特別図柄表示装置３７１Ｄ、普通図柄表示装置３７１Ｅ、普通図柄保留表示装置３７１Ｆ、状態報知用表示装置３７１Ｇ）や、その他図示しない入賞検知スイッチ群や不正検知スイッチ群などが接続されている。なお、装飾図柄保留表示装置８００（保留ランプ８００ａ）は、サブ制御装置２６２に従属する表示制御装置４５に接続されている。
【００５１】
払出制御装置３１１は、払出モータ３５８ａにより賞球や貸し球の払出制御を行うものである。演算装置であるＭＰＵ５１１は、そのＭＰＵ５１１により実行される制御プログラムや固定値データ等を記憶したＲＯＭ５１２と、ワークメモリ等として使用されるＲＡＭ５１３とを備えている。
【００５２】
払出制御装置３１１のＲＡＭ５１３は、主制御装置２６１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのエリアが備えられている。
【００５３】
なお、主制御装置２６１のＭＰＵ５０１と同様、ＭＰＵ５１１のＮＭＩ端子にも、停電時の発生による電源遮断時に停電監視回路５４２から停電信号ＳＧ１が入力されるように構成されており、その停電信号ＳＧ１がＭＰＵ５１１へ入力されると、停電時処理としてのＮＭＩ割込処理が即座に実行される。
【００５４】
払出制御装置３１１のＭＰＵ５１１には、アドレスバス及びデータバスで構成されるバスライン５１４を介して入出力ポート５１５が接続されている。入出力ポート５１５には、主制御装置２６１、払出モータ３５８ａがそれぞれ接続されている。
【００５５】
発射制御装置３１２は、発射ソレノイドによる遊技球の発射を許可又は禁止するものであり、発射ソレノイドは、所定条件が整っている場合に駆動が許可される。具体的には、払出制御装置３１１からカードユニットとの接続状態であることを示す接続信号が出力されていること、遊技者が遊技球発射ハンドル１８に触れていることをセンサ信号により検出していること、発射を停止させるための発射停止スイッチが操作されていないことを条件に、発射制御装置３１２は発射許可信号を主制御装置２６１に出力する。発射許可信号を入力した主制御装置２６１は、発射ソレノイド制御信号を発射制御装置３１２に出力する。これにより発射制御装置３１２は発射ソレノイド制御信号に応じて発射ソレノイドを駆動し、その結果、遊技球発射ハンドルの操作量に応じた強さで遊技球が発射される。
【００５６】
サブ制御装置２６２は、主制御装置２６１からのコマンドに基づいて装飾図柄の変動表示に応じた演出用スピーカ８１０等の鳴動制御及び演出用ランプ８１１の点灯（点滅）制御、並びに、主制御装置２６１からのコマンドに基づいて表示制御装置４５へのコマンドを編集して表示制御装置４５に送信する機能を果たすものである。サブ制御装置２６２のＭＰＵ５５０には、そのＭＰＵ５５０により実行される制御プログラムや固定値データ等を記憶したＲＯＭ５５１と、ワークメモリ等として使用されるＲＡＭ５５２とを備えている。ＭＰＵ５５０には、アドレスバス及びデータバスで構成されるバスライン５５３を介して入出力ポート５５４が接続されている。入出力ポート５５４には、スピーカ、ランプ、装飾図柄表示装置４２における変動表示中において所定の表示演出を実行させるための演出用ボタン７９、及び主制御装置２６１がそれぞれ接続されている。演出用ボタン７９としては、例えば所定のキャラクタが順次出現する態様によって大当たり状態の可能性が大きいことを予告するステップアップ予告等の表示演出用ボタン等が挙げられる。なお、演出用ボタン７９が押されると、所定の演出実行のための演出指定コマンドが生成されて、装飾図柄表示装置４２に送信されようになっている。
【００５７】
表示制御装置４５は、装飾図柄表示装置４２における装飾図柄の変動表示を制御するものである。表示制御装置４５は、ワークＲＡＭ等として使用されるＲＡＭ５２３を有するＭＰＵ５２１と、ＲＯＭ（プログラムＲＯＭ）５２２と、ビデオＲＡＭ５２４と、キャラクタＲＯＭ５２５と、画像コントローラ５２６と、入力ポート５２７と、出力ポート５２９とを備えている。
【００５８】
ＭＰＵ５２１は、サブ制御装置２６２から送信されてくる図柄表示コマンド（停止図柄コマンド、変動パターンコマンド、確定コマンド等）を入力ポート５２７を介して受信するとともに、受信コマンドを解析し、又は受信コマンドに基づき所定の演算処理を行って画像コントローラ５２６の制御（具体的には画像コントローラ５２６に対する内部コマンドの生成）を実施する。プログラムＲＯＭ５２２は、ＭＰＵ５２１により実行される各種の制御プログラムや固定値を記憶するためのメモリであり、背景画像用のＪＰＥＧ形式画像データも併せて記憶保持されている。ＲＡＭ５２３は、ＭＰＵ５２１による各種プログラムの実行時に使用されるワークデータやフラグ等を一時的に記憶するためのメモリである。
【００５９】
画像コントローラ５２６は、ＶＤＰ（ビデオディスプレイプロセッサ）で構成されている。ＶＤＰは、装飾図柄表示装置４２に組み込まれたＬＣＤドライバ（液晶駆動回路）を直接操作する一種の描画回路であり、ＩＣチップ化されているため、「描画チップ」とも呼ばれ、その実体は描画処理専用のソフトウェアを内蔵したマイコンチップとでも言うべきものである。画像コントローラ５２６は、ＭＰＵ５２１、ビデオＲＡＭ５２４等のそれぞれのタイミングを調整してデータの読み書きに介在するとともに、ビデオＲＡＭ５２４に記憶される表示データを、キャラクタＲＯＭ５２５から所定のタイミングで読み出して、出力ポート５２９を介して装飾図柄表示装置４２に出力して表示させる。
【００６０】
ビデオＲＡＭ５２４は、装飾図柄表示装置４２に表示される表示データを記憶するためのメモリであり、ビデオＲＡＭ５２４の内容を書き換えることにより装飾図柄表示装置４２の表示内容が変更される。キャラクタＲＯＭ５２５は装飾図柄表示装置４２に表示される図柄などのキャラクタデータを記憶するための画像データライブラリとしての役割を担うものである。このキャラクタＲＯＭ５２５には、各種の表示図柄のビットマップ形式画像データ、ビットマップ画像の各ドットでの表現色を決定する際に参照する色パレットテーブル等が保持されている。特に、ビットマップ形式の図柄画像データにはそれぞれ図柄コード（図柄番号）が付与されており、コマンドレベルでは各図柄画像を図柄コードだけで管理可能としている。なお、キャラクタＲＯＭ５２５を複数設け、各キャラクタＲＯＭ５２５に分担して画像データ等を記憶させておくことも可能である。また、プログラムＲＯＭ５２２に記憶した背景画像用のＪＰＥＧ形式画像データをキャラクタＲＯＭ５２５に記憶する構成とすることも可能である。
【００６１】
電源装置３１３は、パチンコ機１０の各部に電源を供給するための電源部５４１を備えている。この電源部５４１は、電源経路を通じて、主制御装置２６１や払出制御装置３１１等に対して各々に必要な動作電圧を供給する。その概要としては、電源部５４１は、外部より供給される交流２４ボルトの電圧を取り込み、各種スイッチやモータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を、電源監視装置５４０、サブ制御装置２６２、払出制御装置３１１、表示制御装置４５等に対して供給する。なお、主制御装置２６１に対しては、電源監視装置５４０を介して動作電圧（１２ボルト及び５ボルトの電圧）が供給される。また、発射制御装置３１２に対しては、主制御装置２６１を介して動作電圧（１２ボルト及び５ボルトの電圧）が供給される。
【００６２】
電源監視装置５４０は、停電等による電源遮断を監視する停電監視回路５４２と、リセット信号を出力するリセット回路５４４と、を備えている。
停電監視回路５４２は、停電等の発生による電源遮断時に、主制御装置２６１のＭＰＵ５０１及び払出制御装置３１１のＭＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２６１及び払出制御装置３１１へ出力する。停電信号ＳＧ１の出力によって、主制御装置２６１及び払出制御装置３１１は、停電の発生を認識し、ＮＭＩ割込処理を実行する。なお、電源部５４１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置２６１及び払出制御装置３１１は、ＮＭＩ割込処理を正常に実行し完了することができる。
【００６３】
ＲＡＭ消去スイッチ回路５４３は、ＲＡＭ消去スイッチが押下された場合に、主制御装置２６１及び払出制御装置３１１へ、バックアップデータをクリアするためのＲＡＭ消去信号ＳＧ２を出力する回路である。なお、払出制御装置３１１への信号の送信は、主制御装置２６１を介して行われる。
主制御装置２６１及び払出制御装置３１１は、パチンコ機１０の電源投入時に、ＲＡＭ消去信号ＳＧ２を入力した場合に、それぞれのバックアップデータをクリアする。
【００６４】
リセット回路５４４は、主制御装置２６１、払出制御装置３１１、サブ制御装置２６２、及び表示制御装置４５を初期化するため、リセット信号を出力する回路である。なお、リセット回路５４４からのリセット信号は、主制御装置２６１に対しては直接与えられるが、払出制御装置３１１、サブ制御装置２６２、及び表示制御装置４５に対しては、電源装置３１３を介して与えられるようになっている。
【００６５】
ここで、特別図柄表示装置、普通図柄表示装置、及び装飾図柄表示装置４２の表示内容について説明する。なお、本実施形態のパチンコ機１０においては、大当たりの発生を遊技者に示すための図柄として２個の特別図柄表示装置で表示される特別図柄と、単一の装飾図柄表示装置４２で表示される装飾図柄との２種類が設けられている。装飾図柄は、特別図柄と同期して変動が行われる図柄であり、特別図柄の変動開始と同時に（又はほぼ同時期に）変動を開始し、また特別図柄の変動停止と同時に（またはほぼ同時期に）変動を停止するものである。この装飾図柄は、遊技者に多種多様な表示演出を行って飽きにくい遊技性を備えるために設けられている。
【００６６】
先ず、第１特別図柄表示装置３７１Ｂ及び第２特別図柄表示装置３７１Ｄで行われる特別図柄の表示内容について説明する。特別図柄の変動表示は、８個のＬＥＤセグメントの点灯パターンの変化によりそれぞれ表現される。この特別図柄の変動表示は遊技球の始動入賞装置３３への入賞を契機としてその入賞順に基づいて第１特別図柄表示装置３７１Ｂ及び第２特別図柄表示装置３７１Ｄの何れかで開始され、所定時間後に停止する。具体的には、対応する側の特別図柄表示装置の点灯状態を中止する全消灯処理を行った後、所定の順番で各ＬＥＤセグメントを順次点灯させる切替処理を実行することで変動を開始させ、後述する停止パターン選択カウンタＣ３の値によって決定された変動表示時間が経過すると上述の切替処理を中断して全消灯処理を行い、後述する大当たり乱数カウンタＣ１及び大当たり図柄カウンタＣ２の値に基づいて決定された態様によって各ＬＥＤセグメントを点灯させるようになっており、大当たり抽選における外れ結果を表示する場合にはドット状の１個のＬＥＤセグメントのみを点灯表示させる一方、大当たり結果を表示する場合には、大当たり後に高確率遊技状態を発生させる当選であるか否かによって異なる数字を「８」の字状に並ぶ７個のＬＥＤセグメントを用いて点灯表示する。なお、一方の特別図柄表示装置が変動表示状態である期間において他方の特別図柄表示装置は変動表示を行わず、最後に変動表示された際に停止表示した図柄の点灯表示を継続した状態とされる。遊技球が始動入賞装置３３の中央始動口３３ａ及び右始動口３３ｂに入賞した回数はそれぞれ最大４回まで保留され、それらの保留回数は、中央始動口３３ａへの入賞に対応する保留数については第１特別図柄保留表示装置３７１Ａ及び装飾図柄表示装置４２の所定領域にてそれぞれ表示され、右始動口３３ｂへの入賞に対応する保留数については第２特別図柄保留表示装置３７１Ｃ及び装飾図柄表示装置４２の所定領域にて表示されるようになっており、加えて、装飾図柄保留表示装置８００の保留ランプ８００ａにて、遊技状態に応じて、中央始動口３３ａへの入賞に対応する保留回数又は右始動口３３ｂへの入賞に対応する保留回数が点灯表示されるようになっている。
【００６７】
次いで、装飾図柄表示装置４２の表示内容について説明する。装飾図柄表示装置４２の表示画面には、例えば、上段・中段・下段に区分けされた３つの表示領域に３つの装飾図柄列Ｚ１〜Ｚ３が表示される。これら装飾図柄列Ｚ１〜Ｚ３は、右から左にスクロール表示される。装飾図柄は、例えば「１」〜「９」の数字からなる主図柄と、主図柄より小さい副図柄とにより構成され、これら各主図柄および副図柄によって装飾図柄の図柄列が形成される。装飾図柄で形成される各図柄列では、数字の昇順又は降順に主図柄が配列されると共に各主図柄の間にそれぞれ副図柄が配列されている。始動入賞装置３３への入賞すなわち始動入賞が発生すると、装飾図柄の変動表示が行われ、変動パターンに応じた一定時間の経過後に変動表示が停止し、装飾図柄表示装置４２には縦３×横３の９個の装飾図柄が表示結果として表示される。大当たり抽選に当選した変動表示においては、９個の装飾図柄のうち垂直あるいは斜めの一直線上に同一の主図柄が３つ揃って停止するように表示制御装置４５により制御が行われ、遊技者に大当たりの発生が示される。一方、大当たり抽選に外れた変動表示においては、９個の装飾図柄のうち垂直あるいは斜めのいずれにも同一の主図柄が３つ揃って停止しないように表示制御装置４５により制御が行われ、遊技者に外れの発生が示される。なお、遊技状態がサポート状態（一対の開閉羽根６０が通常より開放し易く且つ開放時間が通常よりも長い状態）を含まない状態である場合においては装飾図柄保留表示装置８００の保留ランプ８００ａにて中央始動口３３ａへの入賞に対応する保留回数が赤色の発光で点灯表示される一方、遊技状態がサポート状態を含む状態である場合においては装飾図柄表示装置８００の保留ランプ８００ａにて右始動口３３ｂへの入賞に対応する保留回数が点灯表示されるようになっている。
【００６８】
次いで、普通図柄表示装置３７１Ｅにおいて行われる普通図柄の表示内容について説明する。普通図柄の変動表示は、上述した２個のＬＥＤを交互に点灯させることにより表現される。この普通図柄の変動表示は遊技球が作動入賞装置３４の通過口を通過することを条件として開始され、所定時間後に普通図柄の変動表示が停止する。そして、両方のＬＥＤを点灯状態で停止させた場合に始動入賞装置３３が所定時間だけ作動状態となる（一対の開閉羽根６０が開放される）よう構成されている。遊技球が作動入賞装置３４の通過口を通過した回数は最大４回まで保留され、その保留回数が普通図柄保留表示装置３７１Ｆにて点灯表示されるようになっている。
【００６９】
（電源投入時）
パチンコ機１０の電源立ち上げ時には、動作確認および電源投入報知として、スピーカ、装飾図柄表示装置４２の液晶画面、枠に配置された各種ＬＥＤ、遊技盤３０に配置された各種ＬＥＤ等の各部が所定時間（本実施形態では３０秒間）に亘って予め定められた動作をするように設定されている。このため、これら各部が正常に機能するか否かを目視確認できる。このとき、パチンコ機１０に不正な改変が加えられたりしていないか否かも併せて確認できる。
【００７０】
次に、上記の如く構成されたパチンコ機１０の動作について説明する。本形態では、主制御装置２６１内のＭＰＵ５０１は、遊技に際し各種カウンタ情報を用いて、大当たり抽選や特別図柄表示装置の図柄表示の設定などを行うこととしている。具体的には、特別図柄に関連するカウンタ群と、普通図柄に関連するカウンタ群とを備えている。先ず、特別図柄に関連するカウンタ群について説明する。特別図柄に関連するカウンタ群としては、大当たりの抽選に使用する大当たり乱数カウンタＣ１と、特別図柄表示装置の大当たり図柄の選択に使用する大当たり図柄カウンタＣ２と、特別図柄表示装置が外れ変動する際の停止パターンの選択（装飾図柄の変動においてはリーチとするか完全外れとするかのリーチ抽選に相当する）に使用する停止パターン選択カウンタＣ３と、大当たり乱数カウンタＣ１の初期値設定に使用する初期値乱数カウンタＣＩＮＩ１と、変動パターン選択に使用する種別を決定する変動種別カウンタＣＳ１〜ＣＳ３とを備えている。
【００７１】
ここで、変動パターンとは、変動表示の特徴が共通するものを区分した場合における各パターン（形態）を意味している。
【００７２】
上記カウンタＣ１〜Ｃ３，ＣＩＮＩ１，ＣＳ１〜ＣＳ３、は、その更新の都度前回値に１が加算され、最大値に達した後０に戻るループカウンタとなっている。各カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７００が設けられており、これらの各エリアには、始動入賞装置３３への遊技球の入賞タイミングに合わせて、大当たり乱数カウンタＣ１、大当たり図柄カウンタＣ２及び停止パターン選択カウンタＣ３の各値がそれぞれ格納される。
【００７３】
次いで、各カウンタの具体的な内容について詳述する。
大当たり乱数カウンタＣ１は、例えば０〜７３８の範囲内で順に１ずつ加算され、最大値（つまり７３８）に達した後０に戻る構成となっている。特に大当たり乱数カウンタＣ１が１周した場合、その時点の乱数初期値カウンタＣＩＮＩ１の値が当該大当たり乱数カウンタＣ１の初期値として読み込まれる。なお、乱数初期値カウンタＣＩＮＩ１は、大当たり乱数カウンタＣ１と同一範囲で更新されるループカウンタとして構成され（値＝０〜７３８）、タイマ割込毎に１回更新されると共に通常処理の残余時間内で繰り返し更新される。大当たり乱数カウンタＣ１は定期的に（本形態ではタイマ割込毎に１回）更新され、遊技球が始動入賞装置３３に入賞したタイミングでＲＡＭ５０３の保留球格納エリア７００に格納される。大当たりとなる乱数の値の数は、低確率時と高確率時とで２種類設定されており、低確率時に大当たりとなる乱数の値の数は２で、その値は「３７３、７２７」であり、高確率時に大当たりとなる乱数の値の数は１４で、その値は「５９、１０９、１６３、２１１、２６３、３１７、３６７、４２１、４７９、５２３、５７７、６３１、６８３、７３３」である。なお、高確率時とは、特別図柄の組み合せが予め定められた確率変動図柄である特定図柄の組み合せによって大当たりになり付加価値としてその後の大当たり確率がアップした状態、いわゆる確変の時をいい、通常時（低確率時）とはそのような確変状態でない場合をいう。
【００７４】
大当たり図柄カウンタＣ２は、大当たりの際、特別図柄表示装置における特別図柄の変動停止時の図柄を決定するものであり、例えば０〜４の範囲内で順に１ずつ加算され、最大値（つまり４）に達した後０に戻る構成となっている。例えば、大当たり図柄カウンタＣ２の値が「０」、「１」の場合の停止図柄は、９個のＬＥＤセグメントが特定の点灯パターンで停止し、この場合の停止図柄の組み合せは非特定図柄（通常の大当たり図柄）を意味する。
【００７５】
大当たり図柄カウンタＣ２の値が「２」、「３」、「４」の場合の停止図柄は、９個のＬＥＤセグメントが上記とは別の特定の点灯パターンで停止し、この場合の停止図柄の組み合せは特定図柄（確率変動図柄）を意味する。
【００７６】
大当たり図柄カウンタＣ２は定期的に（本形態ではタイマ割込毎に１回）更新され、遊技球が始動入賞装置３３に入賞したタイミングでＲＡＭ５０３の保留球格納エリア７００に格納される。
【００７７】
停止パターン選択カウンタＣ３は、例えば０〜２３８の範囲内で順に１ずつ加算され、最大値（つまり２３８）に達した後０に戻る構成となっている。本形態では、特別図柄の変動表示は、９つのＬＥＤセグメントで表現するように構成されているので、特別図柄の場合にはリーチという概念はなく、リーチに相当する停止パターンを停止パターン選択カウンタＣ３によって、決定することとしている。一方、装飾図柄の場合は、３つの装飾図柄が停止するので、リーチが存在する。従って、装飾図柄の場合は、リーチ抽選を、停止パターン選択カウンタＣ３によって決定している。即ち、装飾図柄の場合では、リーチ発生した後に最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチ発生しない「完全外れ」とを抽選することとしている。例えば、停止パターン選択カウンタＣ３＝０〜２０１が完全外れに該当し、停止パターン選択カウンタＣ３＝２０２〜２０８が前後外れリーチに該当し、停止パターン選択カウンタＣ３＝２０９〜２３８が前後外れ以外リーチに該当する。
【００７８】
ここで、リーチとは、装飾図柄表示装置４２の表示画面に表示される装飾図柄が変動表示を開始した後、先に停留する図柄の組み合せが同一図柄（複数の有効ラインがある装飾図柄においてはいずれかの有効ライン上で同一図柄）であって大当たりの条件を満たしており、変動表示が続いている図柄の表示結果如何によっては大当たりとなることを遊技者に示唆して大当たりの図柄の組み合せを遊技者に期待させる表示であり、興趣演出の１種である。興趣演出とは、変動表示の途中で装飾図柄表示装置４２の表示画面にリーチに代表される所定の図柄を現出させたり、スピーカから特定の音声を出力したり、或いは、振動用のモータによって遊技球発射ハンドル１８を振動させる等、通常とは異なる態様を変動表示に伴わせて変動表示後の表示結果が大当たりとなることを遊技者に期待させる演出である。
【００７９】
なお、停止パターン選択カウンタＣ３は定期的に（本形態ではタイマ割込毎に１回）更新され、遊技球が始動入賞装置３３に入賞したタイミングでＲＡＭ５０３の保留球格納エリア７００に格納される。
【００８０】
変動種別カウンタＣＳ１は、例えば０〜１９８の範囲内で順に１ずつ加算され、最大値（つまり１９８）に達した後０に戻る構成となっている。変動種別カウンタＣＳ２は、例えば０〜２４０の範囲内で順に１ずつ加算され、最大値（つまり２４０）に達した後０に戻る構成となっている。変動種別カウンタＣＳ３は、例えば０〜１６２の範囲内で順に１ずつ加算され、最大値（つまり１６２）に達した後０に戻る構成となっている。
変動種別カウンタＣＳ１によって、ノーマルリーチ、スーパーリーチ、スペシャルリーチ、プレミアムリーチ等のリーチの種別のような大まかな図柄変動態様が決定され、変動種別カウンタＣＳ２によって、例えばノーマルリーチＡ、ノーマルリーチＢ等のようにさらに細かな図柄変動態様が決定され、変動種別カウンタＣＳ２によって、例えばすべり停止変動の場合の変動時間の加減算が決定される。従って、これらの変動種別カウンタＣＳ１〜ＣＳ３を組み合わせることで、変動パターンの多種多様性を容易に実現できる。
【００８１】
カウンタＣＳ１〜ＣＳ３は、後述する通常処理が１回実行される毎に１回更新され、当該通常処理内の残余時間内でも繰り返し更新される。そして、特別図柄表示装置による特別図柄及び装飾図柄表示装置４２による装飾図柄の変動開始時における変動パターン決定に際してカウンタＣＳ１〜ＣＳ３のバッファ値が取得される。
【００８２】
次いで、普通図柄に関連するカウンタ群について説明する。普通図柄に関連するカウンタ群としては、当たりの抽選に使用する当たり乱数カウンタＣ４と、当たり乱数カウンタＣ４の初期値設定に使用する初期値乱数カウンタＣＩＮＩ２とを備えている。
【００８３】
上記当たり乱数カウンタＣ４は、その更新の都度前回値に１が加算され、最大値に達した後０に戻るループカウンタとなっている。カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７０１が設けられており、これらの各エリアには、作動入賞装置３４への遊技球の通過に合わせて、当たり乱数カウンタＣ４の値が格納される。
【００８４】
次いで、上記当たり乱数カウンタＣ４，初期値乱数ＣＩＮＩ２の具体的な内容について詳述する。当たり乱数カウンタＣ４は、例えば０〜２５０の範囲内で順に１ずつ加算され、最大値（つまり２５０）に達した後０に戻る構成となっている。そして、当たり乱数カウンタＣ４が１周した場合、その時点の当たり初期値乱数カウンタＣＩＮＩ２の値が当たり乱数カウンタＣ４の初期値として読み込まれる。なお、初期値乱数カウンタＣＩＮＩ２は、当たり乱数カンタＣ４と同一範囲で更新されるループカウンタとして構成され（値＝０〜２５０）、タイマ割込毎に１回更新されると共に通常処理の残余時間内で繰り返し更新される。当たり乱数カウンタＣ４は定期的に（本形態ではタイマ割込毎に１回）更新され、遊技球が作動入賞装置３４を通過したタイミングでＲＡＭ５０３の保留球格納エリア７０１に格納される。当たり乱数カウンタＣ４の当たりとなる乱数の値の数は１４９で、その値は「５〜１５３」である。
【００８５】
なお、各カウンタの大きさや範囲は一例にすぎず任意に変更できる。但し、不規則性を重視すれば、大当たり乱数カウンタＣ１、停止パターン選択カウンタＣ３、当たり乱数カウンタＣ４、変動種別カウンタＣＳ１〜ＣＳ３の大きさは何れも異なる素数とし、いかなる場合にも同期しない数値としておくのが望ましい。
【００８６】
尚、主制御装置２６１内のＭＰＵ５０１により実行される各制御処理の詳細については、ここでは詳細説明を省く。
しかし、要約すれば、上述のように、始動入賞装置３３への入賞により、主制御装置２６１において所定の確率の当否抽選がなされ、当たりに際しては、特別遊技状態に移行するのであり、これに伴って可変入賞装置３２が入賞球の受球状態となるものである。
【００８７】
（可変入賞装置と捕集部）
この実施例においては、上記の可変入賞装置３２は、次のように構成されている。
この可変入賞装置３２の基本構成は、遊技盤３０の横方向に複数の遊技球を通過させることのできる幅を持つ大入賞口６１からの入球を収容部（図示せず）に収容し、該収容部に設けた排出部から検出センサ（図示せず）に至って検出するように構成されている。
【００８８】
そして、前記遊技盤３０の遊技領域に、窓部１０１と遊技盤３０との間の流下空間を流下する遊技球を入球させる始動入賞装置３３（３３ａ及び３３ｂ：図４参照）が設けられ、前記始動入賞装置３３への入球により、主制御装置２６１によって、所定の確率の当否抽選が行われ、該当たり抽選によって遊技状態が特別遊技状態に移行し、該特別遊技状態において、少なくとも１回、前記可変入賞装置３２が、非受球状態から受球状態に切り替わり、前記受球状態において、前記大入賞口６１から収容部に収容された規定数の入賞球を、前記検出センサにより検出することによって規定数の賞球を払い出すように構成してある。
【００８９】
（特徴構成）
〔第１実施形態〕
上記パチンコ機１０は、前述の通り、図４に示すように遊技盤３０の右側縁部に側端レール５０Ｓが配設されている。以下、側端レール５０Ｓの構成および取付構造について説明する。
【００９０】
側端レール５０Ｓは、内レール５１および外レール５２と同様の金属板よりなり、前述の通り外レール５２とおおよそ同一の円周上に位置しているが、リング状の一部すなわち正面視円弧状ではなく、正面視直線状で帯状に延びる形状となっている。側端レール５０Ｓの全幅は、内レール５１および外レール５２の幅（遊技盤３０の盤面からの突出高さ）よりも大となっている。また、遊技盤３０の右上部においては、外レール５２の一方端が位置し、その同一円周上にすぐ隣接するように右下に主表示ユニット３７１が配置され、一方、遊技盤３０の右下部においては、内レール５１の一方端が位置し、該内レール５１の内側に沿って、右側の２つの一般入賞装置３１を一体的に有するように概略弧状に延びる正面形状となるように、遊技盤３０の盤面から段状に突起する形状に成形された装飾段部５４が配置されているが、側端レール５０Ｓは、主表示ユニット３７１と装飾段部５４との間の遊技盤３０の右側部を右側からほぼ閉塞するようにして配置されている。
【００９１】
側端レール５０Ｓは、図１０に示すように、後側端（図１０では下端）から幅Ｗ１１の部分を遊技盤３０の右側端面３０Ｅに重ねるようにしてネジ５５によりネジ固定され、この幅Ｗ１１の固定部分より前側部（図１０では上側部）が幅Ｗ１２だけ遊技盤３０の盤面から突出している。この側端レール５０Ｓにおける遊技盤３０の盤面からの突出幅Ｗ１２は、内レール５１および外レール５２における遊技盤３０の盤面からの突出高さＨ１１と同一となっている。
【００９２】
遊技盤３０は、内枠１２に形成された遊技盤嵌着開口部１２Ｐに、左右方向に僅かに余裕をもって後方から嵌入され、該遊技盤３０の前面における四隅部を、それぞれ対応するように遊技盤嵌着開口部１２Ｐから内側に張り出すように形成された取付片部（図示せず）に当接させ、固定手段により固定されている（図示省略）。
【００９３】
（第１実施形態による作用）
本パチンコ機１０は、遊技球が流下する遊技領域を前面に有する遊技盤３０と、一般入賞装置３１、可変入賞装置３２、始動入賞装置３３、作動入賞装置３４、主表示ユニット３７１、可変表示装置ユニット３５、装飾段部５４等のような、該遊技盤３０の前面における機能を担う各種の盤面要素とを備える構成において、上記盤面要素の一部であるレールユニット５０の側端レール５０Ｓが、上記遊技盤３０の周面部のうち右側端面３０Ｅに位置させるようにして、上記遊技盤３０に配設された構成となっている。
【００９４】
上記構成により、遊技盤３０の周面部である右側端面３０Ｅを利用して、盤面要素の一部である側端レール５０Ｓが遊技盤３０に配設されているので、遊技盤３０の前面部のみを利用する場合に比して、側端レール５０Ｓが遊技盤３０のより外側寄りの位置、即ち最外部に配設されており、したがってそのぶん遊技領域が右側へ拡大して可及的に大きく確保されている。即ち、盤面要素の一部（側端レール５０Ｓ）を遊技盤３０の周面部（右側端面３０Ｅ）に配設するという簡単な構成により、遊技盤３０の遊技領域が好適に拡大されている。
【００９５】
また、上記側端レール５０Ｓが遊技盤３０の前面よりも幅Ｗ１１だけ後方へ延びる形状とされ、該幅Ｗ１１の部分で遊技盤３０の周面部（右側端面３０Ｅ）に重なるようにして配設されているので、側端レール５０Ｓが遊技盤３０の周面部（右側端面３０Ｅ）を効果的に利用して安定して配設されるようになっている。
【００９６】
また、上記盤面要素が、上記遊技盤３０の盤面に対して立てた体勢で配置される板状体、なかでも特に湾曲していない平板の板状体である側端レール５０Ｓとなっているので、遊技盤３０の周面部である右側端面３０Ｅに位置させるようにして配設するようにした構成が特に有用となっている。
【００９７】
盤面要素のうちでも、ガイドレールのような、盤面に対して立てた体勢で配置される板状体の場合には特に、遊技盤の前面に安定して支持し難く、安定して固定しようとするほど固定のためのスペースを確保する必要がある。本パチンコ機１０の内レール５１および外レール５２では前述の通り鋲５６を打ちつけるようにして配設されており、これ以外の固定方法としては、例えばフランジを設けてネジ固定するといった方法もあるが、いずれにせよガイドレールを安定して固定するには相応の固定スペースを盤面に確保する必要がある。さらには、本パチンコ機１０の内レール５１および外レール５２のように正面視概略円弧状に湾曲して配置される場合にはこの湾曲形状により安定性が得られるのに対し、湾曲していない平板の板状体の場合には特に安定性が確保し難い。そこで、本パチンコ機１０においては、側端レール５０Ｓを遊技盤３０の周面部（右側端面３０Ｅ）に配設するようにしたことで、固定のためのスペースを盤面にはいっさい占有することなく、かえって盤面よりも幅Ｗ１１だけ後方へ延びる形状としてこの延出部分を遊技盤３０の周面部（右側端面３０Ｅ）に重ねる構造とすることにより、側端レール５０Ｓが遊技盤３０に対してより安定して配設されるようになっている。即ち、盤面において固定のためのスペースを不要として遊技領域の拡大に資する上に、側端レール５０Ｓがかえってより安定した支持構造で遊技盤３０に配設されるようになっている。
【００９８】
また、盤面要素の一部である側端レール５０Ｓが遊技盤３０の周面部である右側端面３０Ｅにネジ５５によりネジ固定されているので、側端レール５０Ｓが遊技盤３０に簡単な固定手段により強固に配設されるようになっている。
【００９９】
〔第２実施形態〕
以下、本発明の第２実施形態に係るパチンコ機２０について説明する。以下の説明においては、第２実施形態において第１実施形態と異なる点を中心に説明し、同様の点については基本的に説明を省略する。
【０１００】
上記第１実施形態に係るパチンコ機１０においては、遊技盤３０が遊技機本体側の部材である内枠１２に後方から取り付けられる構成となっていたが、これに対し、第２実施形態に係るパチンコ機２０においては、図１１に示すように、遊技盤５７が遊技機本体側の部材である内枠５８に前方から取り付けられる構成となっている点で最も大きく異なるものとなっている。
【０１０１】
第２実施形態における遊技盤５７には、上記第１実施形態における内レール５１および外レール５２と基本的に同様の内レール６２および外レール６３が鋲６４により同様にして固定され、内レール６２の一方端部分（図１１では左上部）には、上記第１実施形態における戻り球防止部材５３と同様の戻り球防止部材６５が取着されているが、内レール６２の他方端（図１１では右下端）は、遊技盤５７の下部中央からやや右方の位置（アウト口６６よりやや右方の位置）となっており、即ち、上記第１実施形態における内レール５１に比して、遊技盤５７の下部中央から右方へ延びる長さが短くなっている。外レール６３は、上記第１実施形態における外レール５２と同様に、遊技盤５７の下端部中央近傍（やや左寄りの位置）から概略円周状の軌道に沿って遊技盤５７の右上部まで延びているが、この外レール６３の右上端と、上記内レール６２の右下端との間には、側縁レール部材６７が架設されている。
【０１０２】
なお、図１１では、一般入賞装置、可変入賞装置、始動入賞装置、作動入賞装置、可変表示装置ユニット等の盤面要素は図示省略されている。
【０１０３】
側縁レール部材６７は、遊技盤５７の右上部に位置する主表示ユニット部６７Ｔと、遊技盤５７の右側縁に沿って位置する右側レール部６７Ｍと、遊技盤５７の右下部に位置する下側レール部６７Ｂとをこの順に連続して有する構成となっており、全体として樹脂よりなる成形体となっている。
【０１０４】
主表示ユニット部６７Ｔは、上記第１実施形態における主表示ユニット３７１と同様に、やや上下に長い概略直角三角形状で斜辺が遊技領域の右上部に沿って弧状に内側へ湾曲する正面形状を有し、内レール６２および外レール６３の盤面からの突出高さと同程度の厚みを有する立体状の外形を有する部位となっている。また、上記第１実施形態における主表示ユニット３７１と同様に、左上隅部には返しゴム６７Ｒが取り付けられ、前面部には表示部６７Ｋが形成されている。主表示ユニット部６７Ｔの上部および下部には、円穴状に凹入し内奥にネジ挿通孔を有するネジ挿通部がそれぞれ形成されており、遊技盤５７の前面にネジ固定されるようになっている。
【０１０５】
下側レール部６７Ｂは、遊技盤５７の右下部を覆うように正面視概略横長の台形状をなして遊技盤５７の盤面から段状に突起する形状に成形されている。下端縁は遊技盤５７の下端縁に沿って延び、上端縁は左から右へやや上傾しながら延びている。右下の隅部は内側へ弧状に凹入する正面形状となるように切欠かれ、遊技盤５７の右下の隅部が露出するようになっている。中央部には、正面視横長の長方形状で、内奥面が下端から上端にかけて次第に後方へ後退する斜面状となるように形成された凹入部が設けられている。該凹入部には、該凹入部より僅かに小さい正面視横長の長方形状であって、製造番号等が表示された証紙のシールが貼付された樹脂プレート６８が嵌着されている。該凹入部の内奥面と樹脂プレート６８の裏面とには、爪部で弾性的に係合し合う係合部がそれぞれ設けられており（図示せず）、これにより、樹脂プレート６８が、前上方から視認しやすいように上端が後方にやや傾斜した体勢で凹入部内に固定されている。下側レール部６７Ｂの右上部には、円穴状に凹入し内奥にネジ挿通孔を有するネジ挿通部が形成されており、遊技盤５７の前面にネジ固定されるようになっている。下側レール部６７Ｂの上端部は前方へ鍔状に若干延出し、これにより、下側レール部６７Ｂの上端面部に、左から右へやや上傾しながら延びるレール面部６７Ｓが形成されている。レール面部６７Ｓの前後幅すなわち遊技盤５７の盤面からの突出幅は、内レール６２および外レール６３の盤面からの突出高さと同程度となっている。レール面部６７Ｓの左端部は段状に若干下方に陥入し、この陥入部の上に内レール６２の右下端部が重なるように配置され、これによりレール面部６７Ｓが内レール６２とほぼ面一となるように連接している。
【０１０６】
右側レール部６７Ｍは、遊技盤５７の右側縁から前方へ延出し、上下に周壁状に延びる部位となっている。右側レール部６７Ｍの前後幅すなわち遊技盤５７の盤面からの突出幅は、上記主表示ユニット部６７Ｔの厚みおよび下側レール部６７Ｂのレール面部６７Ｓの前後幅と同一、即ち内レール６２および外レール６３の盤面からの突出高さと同程度となっている。右側レール部６７Ｍの内側面（左側面）は、上端および下端でそれぞれ上記主表示ユニット部６７Ｔの内側面および下側レール部６７Ｂのレール面部６７Ｓの上面と一体的に連続するように形成されている。これにより、遊技盤５７の右上部から、右下の隅部を経て、下部中央近傍まで、全体として正面視概略鉤形状に延びる側縁レール部材６７が構成されている。この側縁レール部材６７と内レール６２および外レール６３とにより、遊技領域が実質的に隙間なく全周的に包囲されるようになっている。この包囲形状は、下部から時計回りに右上部まで概略円形に延びているが、右下部は遊技盤５７の右下の隅部に近づくように概略角形状に右下方へ膨出する形状となっており、これにより、遊技領域が全体として概略円形に形成される場合よりも、右下部が拡大された形状となっている。
【０１０７】
本実施形態に係る側縁レール部材６７は、主表示ユニット部６７Ｔと右側レール部６７Ｍと下側レール部６７Ｂとがそれぞれ別に成形され、これらが一体的に接合されて全体が構成されているが、これらを同時に一体成形して全体を構成するようにしてもよい。
【０１０８】
図１２に示すように、側縁レール部材６７の右側面部（図１２では左側面部）には、補強リブ６７Ｆおよび支持片６７Ｄが形成されている。側縁レール部材６７の右側面は、遊技盤５７の右側縁に沿って、該遊技盤５７の右側端面とほぼ面一となるように、該遊技盤５７の上端近傍から下端近傍まで上下に真直に（直線状に）延びている。遊技盤５７の盤面からの側縁レール部材６７の突出幅は、前述の通り内レール６２および外レール６３の盤面からの突出高さと同程度となっている。側縁レール部材６７のうち、右側レール部６７Ｍにおいては、図１３および図１４に示すように、遊技盤５７の盤面から前方へ垂直に突出する周壁状となっているが、突出端よりやや後方の位置から、外側すなわち右側へ垂直に縦リブ６７Ｈが延出し、該縦リブ６７Ｈは側縁レール部材６７の右側面における上端部から下端部まで上下に延びている。さらに、該縦リブ６７Ｈの後側面と、側縁レール部材６７の右側面における後端よりやや前方の位置との間には、直角三角形状の横リブ６７Ｌがステー状に架設するように形成され、該横リブ６７Ｌは縦リブ６７Ｈの上端部から下端部まで等間隔をおいて多数配設されている。縦リブ６７Ｈおよび横リブ６７Ｌにより補強リブ６７Ｆが構成されており、該補強リブ６７Ｆは全体として側縁レール部材６７と一体的に成形されている。
【０１０９】
支持片６７Ｄは、図１２に示すように、側縁レール部材６７の右側面部における高さ方向中央の位置ならびに当該中央の位置と下端との間のほぼ中央の位置との２箇所にそれぞれ配置形成されている。この２箇所において、図１３および図１４に示すように、側縁レール部材６７の右側レール部６７Ｍが後方へ縦長の矩形状に延出し、延出端側の上下両隅部が丸く角落ちした形状となるように成形されて支持片６７Ｄが形成されている。一方、遊技盤５７の右側端縁部には、支持片６７Ｄに対応する２箇所に、該支持片６７Ｄの上下幅よりやや大きい上下幅および該支持片６７Ｄの厚さにほぼ等しい深さを有するとともに、上下両端部が外側へ湾曲面状に拡がりその間が平面状の正面視概略弓形の形状を有する切欠５７Ｒがそれぞれ形成されており、側縁レール部材６７の支持片６７Ｄが該切欠５７Ｒ内に納まって支持されるようになっている。
【０１１０】
なお、図１２に示すように、遊技盤５７の右側端縁部の上端近傍には、背面視略コ字形状であって四隅（外側の２つの出隅部および内側の２つの入隅部）が丸く角落ちした形状に凹入して、側縁レール部材６７の主表示ユニット部６７Ｔの背面から突出するコネクタを内部に受容した状態で側縁レール部材６７を取り付けるための取付切欠５７Ｃが形成されている。
【０１１１】
遊技盤５７は、前述の通り、図１１に示すように内枠５８に前方から取り付けられる。内枠５８の下端部には、内枠５８の左端から右端まで閉塞するように横長の概略長方形状に延び、右側に遊技球発射装置６９等が支持固定される壁（パネル）状部５８Ｂが設けられており、これより上方の矩形状の領域がほぼ開放されて遊技盤嵌着開口部５８Ｐが形成されている。内枠５８の上壁部の下側面すなわち遊技盤嵌着開口部５８Ｐの上側面における右端近傍には、遊技盤固定具７０が配設されている。遊技盤固定具７０は、可動フックを備え、該可動フックを前方へ回動させて開放すると遊技盤の着脱が可能な開位置となり、この開位置から該可動フックを後方へ回動させて閉じると遊技盤の前面に掛止して遊技盤を固定する閉位置となるように構成され、さらに、バネにより前方へ付勢された押圧部を可動フックの後方に備え、該押圧部により遊技盤が前方の可動フックに圧しつけられて前面が常に一定位置に保持されるようになっている。内枠５８の下端部における壁（パネル）状部５８Ｂの上端面すなわち遊技盤嵌着開口部５８Ｐの下側面における右端近傍には、上側の遊技盤固定具７０と対向するように別の遊技盤固定具７０が配設されている。内枠５８の左側壁部の内側面すなわち遊技盤嵌着開口部５８Ｐの左側面における中央部には、横断面略コ字状に右方へ開放した掛止部が配設されている（図示せず）。遊技盤５７は、左側縁部を前方から上記掛止部に嵌入して掛止させ、この掛止状態で左側縁部を中心に開き戸状に閉じるようにして遊技盤嵌着開口部５８Ｐに全体を嵌め込み、上下の遊技盤固定具７０を操作して可動フックを閉位置とし遊技盤５７の前面における上下両端縁部の右端近傍の位置にそれぞれ掛止させるようにする。これにより、遊技盤５７が遊技盤嵌着開口部５８Ｐに嵌着した体勢で固定される。
【０１１２】
上述のようにして遊技盤５７を遊技盤嵌着開口部５８Ｐに嵌着し固定すると、図１４に示すように、遊技盤５７の右側端面が内枠５８の右側壁部の内側面すなわち遊技盤嵌着開口部５８Ｐの右側面にほぼ隙間なく嵌り込む。これにより、側縁レール部材６７の支持片６７Ｄが、遊技盤５７の右側端面（切欠５７Ｒの内奥面）と遊技盤嵌着開口部５８Ｐの右側面との間に挟持された体勢となって、側縁レール部材６７（右側レール部６７Ｍ）が安定して支持されるようになっている。
【０１１３】
なお、図１２に示すように、遊技盤５７の裏面には、入賞装置に入球した遊技球を受けて下方へ誘導する排出通路が形成された球集合板７１が配置固定されている。球集合板７１は、遊技盤５７において入賞装置が配置された領域をカバーし得るように横長に延びる板状の部材となっている。また、図１１および図１２に示すように、球集合板７１における右下（図１２では左下）の隅部の下方に隣接するようにして、遊技盤５７の電気部品をパチンコ機２０本体に接続するための左右１対のコネクタ７２、７２および該コネクタ７２、７２を覆うように取り付けられるコネクタ取付カバー７３が配置固定されている。コネクタ取付カバー７３は、横長に延びる全体形状を有し、横長に延びるコネクタ挿通開口が左右に並置するように穿設された構成を有しており、図１５に示すように、遊技盤５７の裏面における所定位置に配置固定された１対のコネクタ７２、７２をコネクタ挿通開口を通して後方へ突出させつつ覆うようにして、左右両端部でそれぞれ遊技盤５７および球集合板７１にネジ固定されている。図１１に示すように、内枠５８の遊技盤嵌着開口部５８Ｐの下端部における右部には、コネクタ接続部７４が後方から配置され固定されている。コネクタ接続部７４は、前面が開放された概略箱状となっており、上部の内側には、遊技盤５７の１対のコネクタ７２、７２に対応するように１対のコネクタが左右に並置するように配設されている。上述のようにして遊技盤５７を遊技盤嵌着開口部５８Ｐに嵌着するのにともない、遊技盤５７の１対のコネクタ７２、７２がコネクタ接続部７４の１対のコネクタに嵌入して接続されるようになっている。
【０１１４】
さらに、図１５に示すように、遊技盤５７の裏面には、裏カバー部材７５が取付固定される。該裏カバー部材７５は、装飾図柄表示装置４２を備える表示制御装置４５が搭載される取付ベース（取付台）として機能する他、ＬＥＤ基板等が配置固定される部材となっている。該裏カバー部材７５は、遊技盤５７の裏面における下端よりやや上方の位置から上端近傍の位置までの領域をほぼ全面的に覆う、概略矩形状であって左上（図１５では右上）の隅部が斜線をなして角落ちした正面形状を有し、両側縁および上端縁に沿って取付用のフランジが形成されて遊技盤５７の裏面にネジ固定され、該フランジより内側の部分が全体的に後方へ膨出した奥行を有する透明樹脂製の部材となっている。
【０１１５】
（第２実施形態による作用）
第２実施形態に係るパチンコ機２０は、遊技球が流下する遊技領域を前面に有する遊技盤５７と、一般入賞装置、可変入賞装置、始動入賞装置、作動入賞装置、主表示ユニット、可変表示装置ユニット等のような、該遊技盤５７の前面における機能を担う各種の盤面要素とを備える構成において、上記遊技盤５７が前方から遊技機本体側の部材である内枠５８に取り付けられ、上記盤面要素の一部である側縁レール部材６７が、右側面部を、上記遊技盤５７の周面部のうち右側端面部に位置させるようにして配設された構成となっている。
【０１１６】
上記構成においては、遊技盤５７が前方から遊技機本体側の部材である内枠５８に取り付けられる構成となっているので、内枠５８に対する固定部を前面に確保する必要がなく、したがって遊技盤５７の前面が全面的に利用可能となってそのぶん遊技領域を大きく確保することができるようになっている。
【０１１７】
さらに、盤面要素の一部である側縁レール部材６７が遊技盤５７の周面部のうちの右側端面に配設されている。即ち、側縁レール部材６７が遊技盤５７の可及的に外側寄りの位置に配設されている。したがってそのぶん遊技領域が大きく確保されている。
【０１１８】
即ち、上記構成においては、簡単な構成により遊技盤５７の遊技領域が好適に拡大されている。
【０１１９】
また、遊技盤５７が前方から取り付けられる構成となっているので、例えばパチンコ機２０を遊技場に設置した状態で前面側から遊技盤５７の交換作業等を行うことも可能となっており、したがって取付先であるパチンコ機２０が安定している状態で遊技盤５７の交換作業等を行うことができて作業がより容易となっている。また、パチンコ機２０の前面側から遊技盤５７の交換作業等を行う場合には前面枠を開放するだけでよいため、裏面側から行う場合よりもパチンコ機２０の開放に手間がかからず、したがってこの点でも作業がより容易となっている。
【０１２０】
また、上記盤面要素の一部である側縁レール部材６７が、上記遊技盤５７の周面部のうち右側端面に沿って延びる側片部として支持片６７Ｄを有するので、該側縁レール部材６７が遊技盤５７の前面にスペースを占有することなく安定して支持されるようになっている。遊技盤の前面のみに盤面要素を支持させる構造とすると、盤面要素を支持するためのスペースを遊技盤の前面に確保する必要があり、そのぶん遊技領域のためのスペースが縮小されることとなる。これに対し、上記のように遊技盤５７の周面部である右側端面に沿って延びる側片部として支持片６７Ｄを側縁レール部材６７に設けることにより、遊技盤５７の前面には側縁レール部材６７の支持のためのスペースをとることがなく、しかも遊技盤５７の周面部を効率的に利用して側縁レール部材６７が安定して支持されるようになっている。
【０１２１】
また、上記遊技盤５７の周面部のうち右側端面に、上記側片部である支持片６７Ｄの厚さにほぼ等しい深さを有する切欠５７Ｒが形成され、該切欠５７Ｒに上記支持片６７Ｄが収容されるようになっているので、支持片６７Ｄが遊技盤５７の右側端面から突出することがなく、したがって遊技盤５７が遊技機本体側の部材である内枠５８の遊技盤嵌着開口部５８Ｐにスムーズに嵌入して整然と納まるようになっている。
【０１２２】
また、上記遊技盤５７の周面部のうち右側端面が、遊技機本体側の部材である内枠５８の右側壁部の内側面すなわち遊技盤嵌着開口部５８Ｐの右側面にほぼ隙間なく嵌り込むようにして取り付けられる構成となっているので、支持片６７Ｄが、遊技盤５７の右側端面と内枠５８との間に挟持された体勢となり、したがって、側縁レール部材６７がより安定して支持されるようになっている。
【０１２３】
また、上記盤面要素の一部が、上記遊技盤５７の盤面上に立てて配置される板状体である側縁レール部材６７の右側レール部６７Ｍとなっているので、遊技盤５７の周面部のうちの右側端面に配設することにより、遊技盤５７の前面に遊技領域を可及的に大きく確保されている。換言すれば、右側レール部６７Ｍが遊技盤５７の右側端縁に沿って立設された周壁状となっており、従って遊技盤５７の広さ方向には殆どスペースを占有しておらず、そのぶん遊技領域が大きく確保されている。
【０１２４】
さらに、上記右側レール部６７Ｍが、上記遊技盤５７の周面部のうち右側端面に沿って延びる側片部として支持片６７Ｄを有するようにしたので、安定性がより効果的に確保されるようになっている。盤面上に立てて配置される板状体の場合には、これを盤面上に配設するとなると安定性が確保し難く、例えば盤面に沿って延びるフランジ等を設けて配設する場合には、安定して支持するにはフランジをある程度大きく形成する必要があり、従ってそのぶん盤面上にスペースを占有することとなる。これに対し、上記のように側片部として支持片６７Ｄを遊技盤５７の周面部に沿って配置する構成とすることにより、盤面上にスペースを占有することなく、しかも遊技盤５７の周面部を利用して効果的に右側レール部６７Ｍの安定性が確保されるようになっている。また、盤面上に立てて配置される板状体である右側レール部６７Ｍの一部を後方に延出させるようにして支持片６７Ｄが形成されているので、支持片６７Ｄを容易に形成することができ、また遊技盤５７の盤面上だけでなく、遊技盤５７の外方にもスペースを占有することがない。即ち、右側レール部６７Ｍの一部を後方に延出させて支持片６７Ｄを形成するという簡単な構成により、遊技盤５７の面方向には内外にスペースを占有することなく、しかも遊技盤５７の周面部に支持片６７Ｄを支持させることによって右側レール部６７Ｍが効果的に安定して支持されるようになっている。
【０１２５】
また、上記盤面要素の一部である右側レール部６７Ｍに補強リブ６７Ｆが形成されているので、右側レール部６７Ｍの強度が効果的に確保されている。盤面上に立てて配置される板状体の場合には、上述のような安定性だけでなく、強度も弱くなりやすく、特に遊技球を直接受ける右側レール部６７Ｍの場合には遊技球の衝突による衝撃に耐え得る強度を確保することが必要となる。そこで、上記のように右側レール部６７Ｍに補強リブ６７Ｆを形成することにより、右側レール部６７Ｍの強度が良好に確保されている。
【０１２６】
また、上記補強リブ６７Ｆが、遊技盤５７の盤面に対し実質的に平行に上下方向に延びる縦リブ６７Ｈと、該縦リブ６７Ｈに交叉する方向に延びる横リブ６７Ｌとを有する構成となっているので、右側レール部６７Ｍが効果的に補強される構造となっている。
【０１２７】
また、上記補強リブ６７Ｆが、右側レール部６７Ｍの右側面、即ち遊技球を受ける面である遊技領域側面の裏側に敷設されているので、遊技球の流下にも影響せず、遊技領域を狭めることもないようになっている。このとき、補強リブ６７Ｆが遊技盤５７の右側縁よりも外側へ突出しているが、第２実施形態に係るパチンコ機２０においては遊技盤５７が前方から取り付けられるため、内枠５８に嵌着する際に補強リブ６７Ｆが内枠５８における遊技盤嵌着開口部５８Ｐの内側面に干渉することもない。
【０１２８】
また、上記補強リブ６７Ｆが、遊技盤５７の盤面から間隔をおいて前方の位置に形成されているので、遊技盤５７の取付の途上で該補強リブ６７Ｆがより干渉し難くなっている。また、例えば遊技盤５７の作製工程で該遊技盤５７の周面部を固定する際等に当該周面部に樹脂部品があると損傷されることがあるが、本パチンコ機２０のように補強リブ６７Ｆが遊技盤５７の盤面から前方へ離隔した位置に形成されていることにより、このような損傷も受け難くなっている。また、遊技球は遊技盤５７の盤面から前方へ離隔した位置で右側レール部６７Ｍに当接するため、右側レール部６７Ｍが遊技球の衝突による衝撃に対して効果的に補強される構造ともなっている。
【０１２９】
また、上記盤面要素の一部である右側レール部６７Ｍが、遊技盤５７の右側縁に沿って真直に（直線状に）延びるように敷設されているので、遊技領域が右端部において可及的に大きく確保されるようになっている。また、このようにレールを直線状に敷設すると、曲線状に敷設する場合に比して安定性や強度が確保し難く、特に敷設距離が長くなるほど安定性や強度も低下する。そこで、上述のように右側レール部６７Ｍに支持片６７Ｄや補強リブ６７Ｆを設けて安定性や強度を確保するようにした構成が特に有効となっている。
【０１３０】
また、上記盤面要素の一部である右側レール部６７Ｍの上端部および下端部が、盤面に沿って面的に拡がる正面形状を有していて盤面に対し面で当接するようにして配置される盤面要素である主表示ユニット部６７Ｔおよび下側レール部６７Ｂとそれぞれ一体的に連続するように構成されているので、右側レール部６７Ｍがさらに安定して支持されるようになっている。
【０１３１】
（変更態様）
上記第１および第２実施形態に係るパチンコ機１０、２０には、例えば以下に列挙するように様々な変更を加えることが可能である。なお、以下の記述および図面において、第１および第２実施形態における部材ないし部位と同様の部材ないし部位には同一の符号を付し、基本的にその説明は省略する。
【０１３２】
（１）前記第１実施形態においては、遊技盤３０が内枠１２の遊技盤嵌着開口部１２Ｐに後方から嵌入されて取付固定されるようになっていたが、例えば、内枠を前記第２実施形態に係る内枠５８と同様の構成として遊技盤３０が前方から取り付けられる構成としてもよい。
【０１３３】
（２）前記第１および第２実施形態においては、盤面要素の一部であるレールユニット５０の側端レール５０Ｓならびに側縁レール部材６７の右側レール部６７Ｍ0が、少なくとも一部を遊技盤３０、５７の周面部である右側端面に沿って後方へ延出させるようにして配設されていたが、例えば図１６に示すように、遊技盤７６の裏側に配置される部材の一部を遊技盤７６の前面より前方へ延出させるようにして盤面要素の少なくとも一部を構成するようにしてもよい。
【０１３４】
本変更態様においては、図１６に示すように、遊技盤７６の裏側に配置された球集合板７７の右側端部が、遊技盤７６の右側端面７６Ｅに沿って前方へ壁状に延出し、そのまま遊技盤７６の前面より前方へ突出して、これにより側端レール部７７Ｓが形成されている。本変更態様に係る遊技盤７６は、側端レール５０Ｓが側端レール部７７Ｓとなっている点以外は前記第１実施形態に係る遊技盤３０と同一の構成となっており、また前記第１実施形態に係る遊技盤３０と同様に、内枠１２に形成された遊技盤嵌着開口部１２Ｐに後方から嵌入されて取り付けられるようになっている。本変更態様に係る遊技盤７６の前面からの側端レール部７７Ｓの突出幅は、内レール５１および外レール５２の突出幅と同程度となっている。
【０１３５】
本変更態様の構成によれば、遊技盤７６の右側端面７６Ｅを全幅的に利用して効果的に側端レール部７７Ｓの安定性を確保することができ、また、遊技盤７６の裏側面に沿って幅方向に大きく面的に拡がるように配置固定された球集合板７７の右側端部から前方へ延出するようにして側端レール部７７Ｓが形成されているので、該側端レール部７７Ｓの安定性がさらに良好となっている。
【０１３６】
また、球集合板７７を遊技盤７６に取付固定することで側端レール部７７Ｓを配設することができるので、レール部材を別に取付固定する場合に比して、遊技盤７６の作製が簡略なものとなっている。
【０１３７】
前記第１および第２実施形態における各部の構成は、本変更態様においても好適に適用することができる。例えば、図１６に示すように側端レール部７７Ｓの外側面（右側面）が内枠１２の遊技盤嵌着開口部１２Ｐにほぼ隙間なく嵌入される構成とし、これにより側端レール部７７Ｓが遊技盤７６の右側端面７６Ｅと遊技盤嵌着開口部１２Ｐの内側面との間に挟持されてより安定に支持されるようにしてもよく、あるいは逆に、遊技盤７６が側端レール部７７Ｓと遊技機本体側の部材（内枠等）との間に余裕をもって嵌入され取付固定される構成としてもよい。また、例えば、側端レール部７７Ｓを遊技盤７６の右側端面７６Ｅにネジ固定する、側端レール部７７Ｓに補強リブを形成するといった構成も可能である（図示省略）。さらにまた、本変更態様においても、前記第２実施形態と同様に、遊技盤７６が遊技機本体（内枠等）に前方から取り付けられる構成としてもよい（図示省略）。
【０１３８】
（３）前記第２実施形態においては、盤面要素の一部である側縁レール部材６７の支持片６７Ｄが、遊技盤５７の右側端面と内枠５８との間に挟持された体勢で支持されるようになっていたが、例えば図１７に示すように、遊技盤８０の右側端面８０Ｅと、遊技盤８０の裏側に配置される部材の一部との間に盤面要素の一部が挟持された体勢で支持される構成としてもよい。
【０１３９】
本変更態様においては、図１７に示すように、遊技盤８０の裏側に配置された球集合板８１の右側端部が、遊技盤８０の右側端面８０Ｅに沿って、遊技盤８０の前面の位置まで前方へ延出して延出片８１Ｐが形成されている。遊技盤８０の右側端面８０Ｅには、前記第２実施形態に係るものと同様の側縁レール部材６７の右側レール部６７Ｍが配設されており、遊技盤８０の右側端面８０Ｅに沿って後方へ支持片６７Ｄが延出している。上記球集合板８１における延出片８１Ｐの先端部においては、上記側縁レール部材６７の支持片６７Ｄに対応する上下位置に、遊技盤８０に対向する内側面から該延出片８１Ｐの厚さ方向に内奥側（右側）へ凹入する凹入部８１Ｒがそれぞれ形成されている。該凹入部８１Ｒは、上記側縁レール部材６７の支持片６７Ｄをちょうど隙間なく収容し得る前後方向の深さＤ１１および厚さ方向（左右方向）の深さＤ１２を有するものとなっており、支持片６７Ｄが遊技盤８０の右側端面８０Ｅと凹入部８１Ｒの内側面との間に挟持された体勢で支持されるようになっている。
【０１４０】
本変更態様の構成によれば、支持片６７Ｄが遊技盤８０の右側端面８０Ｅと球集合板８１における延出片８１Ｐの内側面との間に挟持されることにより、側縁レール部材６７の右側レール部６７Ｍの安定性が効果的に確保されるようになっている。
【０１４１】
本変更態様においては、上述の通り側縁レール部材６７の支持片６７Ｄが球集合板８１における延出片８１Ｐの凹入部８１Ｒに収容されるようになっているため、遊技盤８０においては、前記第２実施形態に係る遊技盤５７の切欠５７Ｒのように、支持片６７Ｄが収容される切欠は形成されていないが、前記第２実施形態の場合と同様に遊技盤８０に切欠を設け、球集合板の延出片には凹入部を設けない構成としてもよい。
【０１４２】
上記遊技盤８０は、右側端面８０Ｅ以外は前記第２実施形態に係る遊技盤５７と同様の構成となっており、また前記第２実施形態の場合と同様に、遊技機本体側の部材である内枠８３の遊技盤嵌着開口部８３Ｐに前方から嵌入されて取付固定される。このとき、遊技盤８０は、図１７に示すように内枠８３における遊技盤嵌着開口部８３Ｐの内側面との間に若干の余裕をもって嵌入されるようになっているが、この部分でも隙間がないようにして遊技盤８０と内枠８３との間に球集合板８１の延出片８１Ｐが挟持されるようにすると、側縁レール部材６７の右側レール部６７Ｍがより強固に支持されて安定性がさらに向上する。また、例えば、球集合板８１の凹入部８１Ｒの位置で延出片８１Ｐの外側（右側）からネジを螺入して側縁レール部材６７の支持片６７Ｄごと遊技盤８０の右側端面８０Ｅにネジ止めし、これにより側縁レール部材６７の右側レール部６７Ｍがより強固に支持されるようにしてもよい（図示省略）。
【０１４３】
また、本変更態様において、例えば、側縁レール部材６７の右側レール部６７Ｍを、前記第１実施形態に係る側端レール５０Ｓのように補強リブ等の右方への突出部のないレールとし、遊技盤を後方から取り付ける構成としてもよい（図示省略）。
【０１４４】
（４）前記第１および第２実施形態ならびに以上の変更態様においては、盤面要素の一部である右側端縁部のレール５０Ｓ、６７Ｍ、７７Ｓが、遊技盤３０、５７、７６、８０に配設されていたが、例えば図１８に示すように、盤面要素の一部を、遊技盤８４に配設することなしに、少なくとも一部が該遊技盤８４の周面部に位置するように配設する構成としてもよい。
【０１４５】
本変更態様においては、図１８に示すように、遊技盤８４が嵌入され取付固定される内枠８５に、レール壁部８５Ｒが形成されている。即ち、内枠８５の右側部の内側端部すなわち遊技盤嵌着開口部８５Ｐの右側縁部が前方へ壁状に延出するようにして、レール壁部８５Ｒが一体的に形成されている。該レール壁部８５Ｒは、取付位置にある遊技盤８４の前面からの突出高さＤ１３が内レール５１および外レール５２と同程度となるように形成され、また、内側面（左側面）が内枠８５の右側壁部の内側面すなわち遊技盤嵌着開口部８５Ｐの右側面と面一に連続するように形成されている。
【０１４６】
本変更態様に係る内枠８５は、レール壁部８５Ｒが形成されている点以外は前記第２実施形態に係る内枠５８と同様に構成されており、遊技盤８４が前方から嵌入され取付固定されるようになっている。本変更態様に係る遊技盤８４の前面の構成は、図１９に示すように、側端レール５０Ｓが配設されていない点以外は前記第１実施形態に係る遊技盤３０の前面の構成と同様となっている。遊技盤８４は、図１８に示すように、右側端面８４Ｅと遊技盤嵌着開口部８５Ｐの内側面との間に実質的に隙間のない状態で嵌り込んで固定される。このようにして遊技盤８４が内枠８５の遊技盤嵌着開口部８５Ｐに嵌入され取付固定されると、図１９に示すように、該レール壁部８５Ｒが、前記第１実施形態に係る側端レール５０Ｓの場合と同様に、主表示ユニット３７１と装飾段部５４との間の遊技盤８４の右側部を右側からほぼ閉塞するようになっている。即ち、レール壁部８５Ｒが、前記第１実施形態に係る側端レール５０Ｓと同様に、レールユニットの一部（右端部）を構成しており、盤面要素の一部として、遊技盤８４の周面部のうち右側端面部に位置するように配設された構成となっている。
【０１４７】
本変更態様の構成においては、遊技盤８４が前方から遊技機本体側の部材である内枠８５に取り付けられる構成となっているので、内枠８５に対する固定部を前面に確保する必要がなく、したがって遊技盤８４の前面が全面的に利用可能となってそのぶん遊技領域を大きく確保することができるようになっている。
【０１４８】
さらに加えて、内枠８５に形成されたレール壁部８５Ｒが、盤面要素の一部である右側端縁部のレールとして機能し得るようになっている。したがって、遊技盤８４の前面が右側端縁部いっぱいまで利用可能となって遊技領域が右側へ最大限に拡大されている。
【０１４９】
さらにまた、内枠８５に形成されたレール壁部８５Ｒが右側端縁部のレールとなっていることにより、例えば板状のレールが独立した部材として用意されてこれが遊技盤の右側端縁部に配設される場合に比して、当該右側端縁部のレールの安定性がさらに良好となっている。
【０１５０】
さらにまた、遊技機本体側の部材である内枠８５に盤面要素の一部であるレール壁部８５Ｒを配設することにより、異なる機種の遊技盤に交換した場合にも同一のレール壁部８５Ｒを利用することができ、したがってそのぶんコストを低減することができる。また、遊技盤８４のほうには右側端縁部のレールが配設されないので、そのぶん遊技盤８４の作製が簡略なものとなっている。
【０１５１】
なお本変更態様の構成においては、遊技盤８４の右側端面８４Ｅとレール壁部８５Ｒの内側面との間には、外観（見映え）等の観点からすればなるべく隙間が形成されないようにするほうが望ましいが、この隙間が遊技球の半径（約５．５ｍｍ）未満であれば、遊技球の挙動には殆ど影響がないため、敢えてこの範囲内に限り隙間を形成するようにすると、遊技盤８４がより嵌入しやすくなり、またこの隙間のぶんさらに遊技領域が拡大されることともなる。
【０１５２】
また、本変更態様に係るレール壁部８５Ｒの遊技盤８４側面と反対側面すなわち右側面に補強リブを形成したり、該レール壁部８５Ｒの当該側面（右側面）と内枠８５の前面との間にステーを架設したりすることにより、該レール壁部８５Ｒの強度や安定性をさらに向上させるようにしてもよい（図示省略）。
【０１５３】
（５）前記第１および第２実施形態ならびに以上の変更態様においては、遊技盤の周面部を利用して配設される盤面要素として、側端レール５０Ｓ、側縁レール部材６７（右側レール部６７Ｍ）、側端レール部７７Ｓ、内枠８５のレール壁部８５Ｒのような、遊技球を案内するレール（ガイドレール）が例示されていたが、盤面要素としてはこれ以外にも、少なくとも一部が遊技盤の前面における周縁近傍に配置されるものであれば、上述のレールの場合と同様に遊技盤の周面部を利用して配設することにより、遊技領域の拡大に資することができる。このような盤面要素としては、例えば、前記第１実施形態に係る主表示ユニット３７１のような表示装置、証紙のシール等を表示しながら支持する支持部材、各種の装飾部材等が挙げられる。
【０１５４】
盤面要素のうち、例えば図２０に摸式的に示すように、遊技盤８６の盤面に沿って面的に拡がる正面形状を有していて盤面に対し面で当接するようにして配置される段状部材８７のような盤面要素の場合、例えば、遊技盤８６の周面部である一端面８６Ｅに最も近い端縁部８７Ｅに後方へ延出する支持片８７Ｄを形成し、該支持片８７Ｄを遊技盤８６の一端面８６Ｅに支持させるようにして配設するようにしてもよい。この構成により、例えば段状部材８７の当該端縁部８７Ｅにフランジを形成して遊技盤８６の前面に固定する場合に比して、該段状部材８７をより遊技盤８６の一端面８６Ｅに寄せるようにして配置することができ、そのぶん遊技領域の拡大に資することとなるとともに、段状部材８７を安定して遊技盤８６に支持することができる。
【０１５５】
図２０に示す例においては、遊技盤８６の一端面８６Ｅに、前記第２実施形態に係る遊技盤５７の切欠５７Ｒと同様の切欠８６Ｒが形成され、該切欠８６Ｒ内に段状部材８７の支持片８７Ｄが収容されて支持されるようになっている。
【０１５６】
（６）前記第１および第２実施形態ならびに以上の変更態様においては、遊技盤の周面部のうち、右側端面部を利用して盤面要素が配設された構成が例示されていたが、左側端面部、上側端面部および下側端面部においても同様の構成を適用することができる。
【０１５７】
なお本明細書は、以下に掲げる内容についていずれも開示している。
【０１５８】
本発明にかかる遊技機は、手段Ａ１として、
遊技球が流下する遊技領域を前面に有する遊技盤と、該遊技盤の前面における機能を担う盤面要素とを備える遊技機であって、
前記盤面要素の一部が、少なくとも一部を前記遊技盤の周面部に位置させるようにして、前記遊技盤に配設されていることを特徴とする。
【０１５９】
本発明において、「盤面要素」とは、例えば遊技球の誘導や案内、入賞、演出、各種表示、装飾等のような、遊技盤の前面においてなされる機能のために構成されたものであれば任意のものを含意し、例えば、ガイドレール、一般入賞装置、可変入賞装置、始動入賞装置、作動入賞装置等の各種入賞装置、主表示ユニット、可変表示装置ユニット等の各種表示装置、証紙用支持部材、各種装飾部材等がいずれも含まれる。
また、「遊技盤に配設する」とは、例えば遊技盤に支持固定することも含み、より具体的には、例えば、遊技盤にネジ等の固定手段を用いて固定すること、遊技盤に支持片等の突出部を掛止させて支持することにより固定すること等をいずれも含意する。
【０１６０】
上記手段Ａ１の構成によれば、遊技盤の周面部を利用して盤面要素が遊技盤に配設されるので、遊技盤の前面部のみを利用する場合に比して、盤面要素を遊技盤のより外側寄りの位置に配設することができ、したがってそのぶん遊技領域を大きく確保することができる。即ち、簡単な構成により遊技盤の遊技領域を好適に拡大することができる。
【０１６１】
また、遊技盤の周面部に位置させることで、盤面要素を遊技盤の前面よりも後方へ延びる形状とすることができ、したがってそのぶん盤面要素をより安定して配設することができる。
【０１６２】
また、本発明にかかる遊技機は、手段Ａ２として、手段Ａ１の遊技機において、
前記盤面要素が、前記遊技盤の盤面に対して立てた体勢で配置される板状体となっていることを特徴とする。
【０１６３】
上記手段Ａ２のように、盤面要素が、例えばガイドレールのような、盤面に対して立てた体勢で配置される板状体の場合には特に、遊技盤の前面に安定して支持し難く、安定して固定しようとするほど固定のためのスペースを確保する必要がある。固定方法としては、例えばフランジを設けてネジ固定するといった方法もあるが、これによればガイドレールを安定して固定するにはフランジを相応に大きくしてこれに対応するスペースを盤面に確保する必要がある。したがってこの場合、上記手段Ａ１のように、遊技盤の周面部を利用して盤面要素を配設するためのスペースを確保するようにした構成が特に有用となる。
【０１６４】
また、本発明にかかる遊技機は、手段Ａ３として、手段Ａ２の遊技機において、
前記板状体が、湾曲していない平板の板状体となっていることを特徴とする。
【０１６５】
板状体が正面視円弧状等の形状となるように湾曲して配置される場合には、この湾曲形状により安定性が得られるのに対し、上記手段Ａ３のように湾曲していない平板の板状体の場合には、特に安定性が確保し難い。そこで、上記手段Ａ１のように、遊技盤の周面部を利用して盤面要素を配設するためのスペースを確保するようにした構成がさらに有用となる。
【０１６６】
また、本発明にかかる遊技機は、手段Ａ４として、手段Ａ１から手段Ａ３のいずれかの遊技機において、
前記盤面要素が、前記遊技盤の周面部に沿って前後方向に延びる延出部分を有し、該延出部分を遊技盤の周面部に支持させる構造となっていることを特徴とする。
【０１６７】
上記手段Ａ４の構成によれば、盤面要素が、配設のためのスペースを盤面には占有することなく、遊技盤に対してより安定して配設される。従って、遊技領域の拡大に資するとともに、盤面要素の安定性がさらに向上する。
【０１６８】
また、本発明にかかる遊技機は、手段Ａ５として、手段Ａ１から手段Ａ４のいずれかの遊技機において、
前記盤面要素が、前記遊技盤の周面部にネジによりネジ固定されていることを特徴とする。
【０１６９】
上記手段Ａ５の構成によれば、盤面要素が遊技盤に簡単な固定手段により強固に配設される。
【０１７０】
本発明にかかる遊技機は、手段Ｂ１として、
遊技球が流下する遊技領域を前面に有する遊技盤と、該遊技盤の前面における機能を担う盤面要素とを備える遊技機であって、
前記遊技盤が前方から遊技機本体に取り付けられ、
前記盤面要素の一部が、少なくとも一部を前記遊技盤の周面部に位置させるようにして配設されていることを特徴とする。
【０１７１】
本発明において、「遊技機本体」とは、遊技機を構成する部分のうち、遊技盤を除く部分をいずれも含意し、例えば内枠等の部材はいずれも遊技機本体に含まれる。
【０１７２】
上記手段Ｂ１の構成によれば、遊技盤が前方から取り付けられるので、遊技機本体に対する固定部を前面に確保する必要がなく、したがって遊技盤の前面が全面的に利用可能となってそのぶん遊技領域を大きく確保することができる。
【０１７３】
さらに、盤面要素の一部が遊技盤の周面部に配設されるので、該盤面要素を遊技盤のより外側寄りの位置に配設することができ、したがってそのぶん遊技領域を大きく確保することができる。
【０１７４】
即ち、上記手段Ｂ１の構成によれば、簡単な構成により遊技盤の遊技領域を好適に拡大することができる。
【０１７５】
また、遊技盤が前方から取り付けられる構成となっているので、例えば遊技機を遊技場に設置した状態で前面側から遊技盤の交換作業等を行うことも可能となり、したがって取付先である遊技機が安定している状態で遊技盤の交換作業等を行うことができて作業がより容易である。また、遊技機の前面側から遊技盤の交換作業等を行う場合には前面枠を開放するだけでよいため、裏面側から行う場合よりも遊技機の開放に手間がかからず、したがってこの点でも作業がより容易である。
【０１７６】
また、本発明にかかる遊技機は、手段Ｂ２として、手段Ｂ１の遊技機において、
前記盤面要素の一部が、前記遊技盤の周面部に沿って延びる側片部を有することを特徴とする。
【０１７７】
上記手段Ｂ２の構成によれば、盤面要素が遊技盤の前面にスペースを占有することなく安定して支持される。遊技盤の前面のみに盤面要素を支持させる構造とすると、盤面要素を支持するためのスペースを遊技盤の前面に確保する必要があり、そのぶん遊技領域のためのスペースが縮小されることとなる。これに対し、上記手段Ｂ２の構成によれば、遊技盤の周面部に沿って延びる側片部を盤面要素に設けることにより、遊技盤の前面には盤面要素の支持のためのスペースをとることがなく、しかも遊技盤の周面部を効率的に利用して盤面要素が安定して支持されるようになる。
【０１７８】
また、本発明にかかる遊技機は、手段Ｂ３として、手段Ｂ２の遊技機において、
前記遊技盤の周面部に、前記側片部の厚さにほぼ等しい深さを有する切欠が形成され、該切欠に前記側片部が収容されるようになっていることを特徴とする。
【０１７９】
上記手段Ｂ３の構成によれば、側片部が遊技盤の周面部から突出することがなく、したがって遊技盤が遊技機本体側の部材にスムーズに嵌入して整然と納まるようになる。
【０１８０】
また、本発明にかかる遊技機は、手段Ｂ４として、手段Ｂ２または手段Ｂ３の遊技機において、
前記遊技盤の周面部が、遊技機本体側の部材にほぼ隙間なく嵌り込むようにして取り付けられる構成となっていることを特徴とする。
【０１８１】
上記手段Ｂ４の構成によれば、側片部が、遊技盤の周面部と、遊技機本体側の部材との間に挟持された体勢となり、したがって、盤面要素がより安定して支持されるようになる。
【０１８２】
また、本発明にかかる遊技機は、手段Ｂ５として、手段Ｂ１から手段Ｂ４のいずれかの遊技機において、
前記盤面要素の一部が、前記遊技盤の盤面上に立てて配置される板状体となっていることを特徴とする。
【０１８３】
上記手段Ｂ５の構成によれば、盤面要素を遊技盤の周面部に配設することにより、遊技盤の前面に遊技領域を可及的に大きく確保することができる。換言すれば、盤面要素が遊技盤の周面部に沿って立設された周壁状となり、従って遊技盤の広さ方向には殆どスペースを占有せず、そのぶん遊技領域を大きく確保することができる。
【０１８４】
さらに、上記手段Ｂ５の構成において、上記手段Ｂ２のように、盤面要素の一部が遊技盤の周面部に沿って延びる側片部を有する構成とした場合には、盤面要素の安定性がより効果的に確保されるようになる。盤面上に立てて配置される板状体の場合には、これを盤面上に配設するとなると安定性が確保し難く、例えば盤面に沿って延びるフランジ等を設けて配設する場合には、安定して支持するにはフランジをある程度大きく形成する必要があり、従ってそのぶん盤面上にスペースを占有することとなる。これに対し、上記手段Ｂ２のように側片部を遊技盤の周面部に沿って配置する構成とすることにより、盤面上にスペースを占有することなく、しかも遊技盤の周面部を利用して効果的に盤面要素の安定性が確保されるようになる。また、盤面上に立てて配置される板状体の一部を後方に延出させるようにして側片部を形成することができるので、側片部を容易に形成することができ、また遊技盤の盤面上だけでなく、遊技盤の外方にもスペースを占有することがない。即ち、盤面要素の一部を後方に延出させて側片部を形成するという簡単な構成により、遊技盤の面方向には内外にスペースを占有することなく、しかも遊技盤の周面部に側片部を支持させることによって盤面要素が効果的に安定して支持されるようになる。
【０１８５】
また、本発明にかかる遊技機は、手段Ｂ６として、手段Ｂ５の遊技機において、
前記盤面要素の一部に補強リブが形成されていることを特徴とする。
【０１８６】
上記手段Ｂ６の構成によれば、盤面要素の強度が効果的に確保される。盤面上に立てて配置される板状体の場合には、上述のような安定性だけでなく、強度も弱くなりやすく、特に遊技球を直接受けるレールの場合には遊技球の衝突による衝撃に耐え得る強度を確保することが必要となる。そこで、上記手段Ｂ６のように盤面要素に補強リブを形成することにより、盤面要素の強度を良好に確保することができる。
【０１８７】
また、本発明にかかる遊技機は、手段Ｂ７として、手段Ｂ６の遊技機において、
前記補強リブが、前記遊技盤の盤面に対し実質的に平行に延びるリブと、該リブに交叉する方向に延びるリブとを有する構成となっていることを特徴とする。
【０１８８】
上記手段Ｂ７の構成によれば、盤面要素が効果的に補強される構造となる。
【０１８９】
また、本発明にかかる遊技機は、手段Ｂ８として、手段Ｂ６または手段Ｂ７の遊技機において、
前記盤面要素が、前記遊技盤の周縁に沿って直線状に延びるように敷設されていることを特徴とする。
【０１９０】
上記手段Ｂ８の構成によれば、遊技領域が遊技盤の周縁部において可及的に大きく確保されるようになる。また、このように盤面上に立てて配置される板状の盤面要素を直線状に敷設すると、曲線状に敷設する場合に比して安定性や強度が確保し難く、特に敷設距離が長くなるほど安定性や強度も低下する。そこで、上記手段Ｂ２や手段Ｂ６のように盤面要素に側片部や補強リブを設けて安定性や強度を確保するようにした構成が特に有効となる。
【０１９１】
また、本発明にかかる遊技機は、手段Ｂ９として、手段Ｂ８の遊技機において、
前記補強リブが、前記盤面要素における遊技領域側面の裏側に敷設されていることを特徴とする。
【０１９２】
上記手段Ｂ９の構成によれば、補強リブが遊技球の流下にも影響せず、遊技領域を狭めることもない。このとき、補強リブが遊技盤の周縁よりも外側へ突出するが、手段Ｂ８の構成においては遊技盤が前方から取り付けられるため、遊技機本体に取り付ける際に補強リブが干渉することもない。
【０１９３】
また、本発明にかかる遊技機は、手段Ｂ１０として、手段Ｂ９の遊技機において、
前記補強リブが、前記遊技盤の盤面から間隔をおいて前方の位置に形成されていることを特徴とする。
【０１９４】
上記手段Ｂ１０の構成によれば、遊技盤の取付の途上で該補強リブがより干渉し難くなる。また、例えば遊技盤の作製工程で該遊技盤の周面部を固定する際等に当該周面部に樹脂部品があると損傷されることがあるが、上記手段Ｂ１０のように補強リブが遊技盤の盤面から前方へ離隔して形成されることにより、このような損傷も受け難くなる。また、遊技球は遊技盤の盤面から前方へ離隔した位置で盤面要素に当接するため、該盤面要素が遊技球の衝突による衝撃に対して効果的に補強される構造ともなる。
【０１９５】
また、本発明にかかる遊技機は、手段Ｂ１１として、手段Ｂ５から手段Ｂ１０のいずれかの遊技機において、
前記盤面要素の端部が、盤面に沿って面的に拡がる正面形状を有していて盤面に対し面で当接するようにして配置される盤面要素と一体的に連続するように構成されていることを特徴とする。
【０１９６】
上記手段Ｂ１０の構成によれば、盤面上に立てて配置される板状の盤面要素がさらに安定して支持されるようになる。
【産業上の利用可能性】
【０１９７】
本発明は、パチンコ機等の遊技機に好適に実施することが可能である。
【符号の説明】
【０１９８】
５７：遊技盤
５８：内枠（遊技機本体）
６７Ｍ：側縁レール部材の右側レール部（盤面要素）
６７Ｄ：支持片（側片部）
【図１】
2020203179.tif 000003
【図２】
2020203179.tif 000004
【図３】
2020203179.tif 000005
【図４】
2020203179.tif 000006
【図５】
2020203179.tif 000007
【図６】
2020203179.tif 000008
【図７】
2020203179.tif 000009
【図８】
2020203179.tif 000010
【図９】
2020203179.tif 000011
【図１０】
2020203179.tif 000012
【図１１】
2020203179.tif 000013
【図１２】
2020203179.tif 000014
【図１３】
2020203179.tif 000015
【図１４】
2020203179.tif 000016
【図１５】
2020203179.tif 000017
【図１６】
2020203179.tif 000018
【図１７】
2020203179.tif 000019
【図１８】
2020203179.tif 000020
【図１９】
2020203179.tif 000021
【図２０】
2020203179.tif 000022